(57)【要約】【課題】デジタルのＦＡＸプロトコルとＨＴＴＰとのいずれにより印刷コンテンツを受信して印刷する受信端末に対しても、アナログのＦＡＸプロトコルで印刷コンテンツを送信する送信端末からの印刷コンテンツの送信を可能にする。【解決手段】変換器７０は、アナログのＦＡＸプロトコルで印刷コンテンツを送信するＦＡＸ装置４０から接続要求信号を受信すると、Ｉ／Ｆ７６を介して受信端末（複合機２０又はＦＡＸ装置３０）とＨＴＴＰによる接続の確立を試みる。接続が確立したときにはＦＡＸ装置４０と受信端末との間でアナログのＦＡＸプロトコルとＨＴＴＰとの変換を行って印刷コンテンツの送信を行う。接続が確立しなかったときにはＦＡＸ装置４０と受信端末との間でＨＧＷ６０がアナログのＦＡＸプロトコルとデジタルのＦＡＸプロトコルとの変換を行って印刷コンテンツを送信するよう、Ｉ／Ｆ７５，７７によりデータをそのまま中継する。【選択図】図１
2010245622.tif 000002
【特許請求の範囲】
【請求項１】
印刷可能な印刷コンテンツをアナログのＦＡＸプロトコルにより送信する送信端末と、
前記印刷コンテンツを受信して印刷する受信端末として前記印刷コンテンツをデジタルのＦＡＸプロトコルにより受信して印刷するＦＡＸ受信端末又は前記印刷コンテンツをＨＴＴＰにより受信して印刷するＨＴＴＰ受信端末が接続されたＩＰネットワークに接続されており、前記送信端末が前記印刷コンテンツを送信すべく前記アナログのＦＡＸプロトコルで用いる形式で出力した接続要求信号を受信したときは、該送信端末と前記アナログのＦＡＸプロトコルで用いる形式でデータの送受信を行うと共に該ＦＡＸ受信端末とデジタルのＦＡＸプロトコルで用いる形式で該ＩＰネットワークを介してデータの送受信を行って該送信端末と該ＦＡＸ受信端末との接続を確立するＦＡＸプロトコル接続確立処理と、該接続確立後に該送信端末から該アナログのＦＡＸプロトコルで用いる形式で前記印刷コンテンツを受信し該受信した印刷コンテンツを前記デジタルのＦＡＸプロトコルで用いる形式に変換して該ＩＰネットワークを介して前記ＦＡＸ受信端末に送信するＦＡＸプロトコル変換処理と、を実行し、前記ＨＴＴＰで用いる形式のデータを受信したときは、該データをそのまま中継するＨＴＴＰ中継処理を実行するホームゲートウェイと、
の間に接続された信号変換装置であって、
前記送信端末と電話回線を介してデータの入出力が可能な第１入出力手段と、
前記ホームゲートウェイとＬＡＮケーブルを介してデータの入出力が可能な第２入出力手段と、
前記ホームゲートウェイと電話回線を介してデータの入出力が可能な第３入出力手段と、
前記第１入出力手段による前記送信端末とのデータの送受信と、前記第２入出力手段又は前記第３入出力手段による前記ホームゲートウェイとのデータの送受信と、を行うデータ送受信手段と、
を備え、
前記データ送受信手段は、
前記接続要求信号を前記第１入出力手段を介して受信したときは、前記第１入出力手段を介して該送信端末と前記アナログのＦＡＸプロトコルで用いる形式でデータの送受信を行うと共に前記第２入出力手段，前記ホームゲートウェイ及び前記ＩＰネットワークを介して前記受信端末と前記ＨＴＴＰで用いる形式でデータの送受信を行って該送信端末と該受信端末との接続の確立を試みるＨＴＴＰ接続確立処理を実行し、
前記ＨＴＴＰ接続確立処理による接続が確立できたときは、該接続を試みた受信端末はＨＴＴＰ受信端末であるとみなして、前記第１入出力手段を介して前記送信端末から前記アナログのＦＡＸプロトコルで用いる形式で前記印刷コンテンツを受信し該受信した印刷コンテンツを前記ＨＴＴＰで用いる形式に変換して前記第２入出力手段，前記ホームゲートウェイ及び前記ＩＰネットワークを介して該接続した受信端末に送信するＨＴＴＰ変換処理を実行し、
前記ＨＴＴＰ接続確立処理による接続が確立できなかったときは、該接続を試みた受信端末はＦＡＸ受信端末であるとみなして、前記第１入出力手段を介して受信した接続要求信号を前記第３入出力手段を介して前記アナログのＦＡＸプロトコルで用いる形式で前記ホームゲートウェイに送信する処理及び前記第１入出力手段及び前記第３入出力手段を介して前記送信端末と該ホームゲートウェイとが送受信するデータをそのまま中継する処理を行うＦＡＸプロトコル中継処理を実行する、
信号変換装置。
【請求項２】
請求項１に記載の信号変換装置であって、
前記接続要求信号に含まれる受信端末の識別情報を前記ＨＴＴＰ接続確立処理による接続の確立が不可能な受信端末の識別情報として記憶可能な記憶手段、
を備え、
前記データ送受信手段は、
前記接続要求信号を受信すると、前記ＨＴＴＰ接続確立処理を実行する前に、該受信した接続要求信号に含まれる受信端末の識別情報が前記ＨＴＴＰ接続確立処理による接続の確立が不可能な受信端末の識別情報として前記記憶領域に記憶されているか否かを判定し、
肯定的な判定をしたときは、該受信端末はＦＡＸ受信端末であるとみなして該ＨＴＴＰ接続確立処理を行うことなく前記ＦＡＸプロトコル中継処理を実行し、
否定的な判定をしたときは、前記ＨＴＴＰ接続確立処理を実行し、
前記ＨＴＴＰ接続確立処理による接続が確立できたときは、前記ＨＴＴＰ変換処理を実行し、
前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶する処理及び前記ＦＡＸプロトコル中継処理を実行する、
信号変換装置。
【請求項３】
前記記憶手段は、前記識別情報を前記ＨＴＴＰ接続確立処理による接続の確立が不可能な受信端末の識別情報として記憶するにあたり、該記憶を行った時期を表す時期情報を該識別情報に対応づけて記憶可能な手段であり、
前記データ送受信手段は、
前記接続要求信号を受信して前記ＨＴＴＰ接続確立処理を実行する前に前記判定を行い肯定的な判定をしたとき、
該受信した接続要求信号に含まれる受信端末の識別情報に現在から所定期間未満の時期を表す時期情報が対応づけて記憶されている場合は、該ＨＴＴＰ接続確立処理を行うことなく前記ＦＡＸプロトコル中継処理を実行し、
該受信した接続要求信号に含まれる受信端末の識別情報に現在から所定期間以上前の時期を表す時期情報が対応づけて記憶されている場合は、該ＨＴＴＰ接続確立処理を実行し、
前記ＨＴＴＰ接続確立処理による接続が確立できたときは、前記ＨＴＴＰ変換処理を実行し、
前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶すると共に該記憶を行った時期を表す時期情報を該識別情報に対応づけて記憶する処理及び前記ＦＡＸプロトコル中継処理を実行する、
請求項２に記載の信号変換装置。
【請求項４】
印刷可能な印刷コンテンツをアナログのＦＡＸプロトコルにより送信する送信端末と、
前記印刷コンテンツを受信して印刷する受信端末として前記印刷コンテンツをデジタルのＦＡＸプロトコルにより受信して印刷するＦＡＸ受信端末又は前記印刷コンテンツをＨＴＴＰにより受信して印刷するＨＴＴＰ受信端末が接続されたＩＰネットワークと、
の間に接続された信号変換装置であって、
前記送信端末とのデータの送受信と、前記受信端末と該ＩＰネットワークを介してのデータの送受信と、を行うデータ送受信手段、
を備え、
前記データ送受信手段は、
前記送信端末が印刷コンテンツを送信すべく出力した接続要求信号を受信したときは、該送信端末と前記アナログのＦＡＸプロトコルで用いる形式でデータの送受信を行うと共に前記ＩＰネットワークを介して該受信端末と前記ＨＴＴＰで用いる形式でデータの送受信を行って該送信端末と該受信端末との接続を試みるＨＴＴＰ接続確立処理を実行し、
前記ＨＴＴＰ接続確立処理による接続が確立できたときは、該接続を試みた受信端末はＨＴＴＰ受信端末であるとみなして、前記送信端末から前記アナログのＦＡＸプロトコルで用いる形式で前記印刷コンテンツを受信し該受信した印刷コンテンツを前記ＨＴＴＰで用いる形式に変換して前記ＩＰネットワークを介して該接続した受信端末に送信するＨＴＴＰ変換処理を実行し、
前記ＨＴＴＰ接続確立処理による接続が確立できなかったときは、該接続を試みた受信端末はＦＡＸ受信端末であるとみなして、該送信端末と前記アナログのＦＡＸプロトコルで用いる形式でデータの送受信を行うと共に該受信端末と前記デジタルのＦＡＸプロトコルで用いる形式で前記ＩＰネットワークを介してデータの送受信を行って該送信端末と該受信端末との接続を確立するＦＡＸプロトコル接続確立処理を実行して、該接続確立後に該送信端末から該アナログのＦＡＸプロトコルで用いる形式で前記印刷コンテンツを受信し該受信した印刷コンテンツを前記デジタルのＦＡＸプロトコルで用いる形式に変換して該ＩＰネットワークを介して前記受信端末に送信するＦＡＸプロトコル変換処理を行う、
信号変換装置。
【請求項５】
請求項４に記載の信号変換装置であって、
前記接続要求信号に含まれる受信端末の識別情報を前記ＨＴＴＰ接続確立処理による接続の確立が不可能な受信端末の識別情報として記憶可能な記憶手段、
を備え、
前記データ送受信手段は、
前記接続要求信号を受信すると、前記ＨＴＴＰ接続確立処理を実行する前に、該受信した接続要求信号に含まれる受信端末の識別情報が前記ＨＴＴＰ接続確立処理による接続の確立が不可能な受信端末の識別情報として前記記憶領域に記憶されているか否かを判定し、
肯定的な判定をしたときは、該受信端末はＦＡＸ受信端末であるとみなして該ＨＴＴＰ接続確立処理を行うことなく前記ＦＡＸプロトコル接続確立処理を実行して該接続確立後に前記ＦＡＸプロトコル変換処理を実行し、
否定的な判定をしたときは、前記ＨＴＴＰ接続確立処理を実行し、
前記ＨＴＴＰ接続確立処理による接続が確立できたときは、前記ＨＴＴＰ変換処理を実行し、
前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶し、前記ＦＡＸプロトコル接続確立処理を実行して該接続確立後に前記ＦＡＸプロトコル変換処理を実行する、
信号変換装置。
【請求項６】
前記記憶手段は、前記識別情報を前記ＨＴＴＰ接続確立処理による接続の確立が不可能な受信端末の識別情報として記憶するにあたり、該記憶を行った時期を表す時期情報を該識別情報に対応づけて記憶可能な手段であり、
前記データ送受信手段は、
前記接続要求信号を受信して前記ＨＴＴＰ接続確立処理を実行する前に前記判定を行い肯定的な判定をしたとき、
該受信した接続要求信号に含まれる受信端末の識別情報に現在から所定期間未満の時期を表す時期情報が対応づけて記憶されている場合は、該ＨＴＴＰ接続確立処理を行うことなく前記ＦＡＸプロトコル接続確立処理を実行して該接続確立後に前記ＦＡＸプロトコル変換処理を実行し、
該受信した接続要求信号に含まれる受信端末の識別情報に現在から所定期間以上前の時期を表す時期情報が対応づけて記憶されている場合は、該ＨＴＴＰ接続確立処理を実行し、
前記ＨＴＴＰ接続確立処理による接続が確立できたときは、前記ＨＴＴＰ変換処理を実行し、
前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶すると共に該記憶を行った時期を表す時期情報を該識別情報に対応づけて記憶し、前記ＦＡＸプロトコル接続確立処理を実行して該接続確立後に前記ＦＡＸプロトコル変換処理を実行する、
請求項５に記載の信号変換装置。
【発明の詳細な説明】
【技術分野】
【０００１】
本発明は、信号変換装置に関する。
【背景技術】
【０００２】
従来、電話回線やインターネットなどの通信ネットワークを介して印刷データを受信して印刷するファクシミリ（ＦＡＸ）やプリンターが接続されたパーソナルコンピューターなどが知られている。電話回線を介して印刷データを受信するＦＡＸにおいては、コールに対してＦＡＸである信号をもって応答し、印刷データを受信する毎に印刷したり印刷データをメモリーに記憶してから印刷したりする。インターネットを介して印刷データを受信するパーソナルコンピューターにおいては、印刷データをハードディスクなどの外部記憶装置に記憶し、その後、印刷用のアプリケーションを起動して外部記憶装置に記憶した印刷データを読み出して印刷する。なお、ネットワークを利用した情報の伝送に関する技術としては、下記の特許文献に記載されたものが知られている。
【先行技術文献】
【特許文献】
【０００３】
【特許文献１】特開２００５−１０９７０１号公報
【特許文献２】特開２００３−１７８０２８号公報
【特許文献３】特表２００５−５１６３２０号公報
【発明の概要】
【発明が解決しようとする課題】
【０００４】
ところで、ＩＰ（Internet Protocol）ネットワークに接続されており個別のＩＰアドレスを有するプリンター間において、パーソナルコンピューターを介さず直接ＩＰネットワークを介して印刷データの送受信を行うことが今後可能になると考えられている。このとき印刷データの送受信を行うプロトコルとしてはＨＴＴＰ(HyperText Transfer Protocol)が考えられる。一方、ＦＡＸには例えばＴ．３０方式などアナログのＦＡＸプロトコルにより公衆電話回線網（ＰＳＴＮ(Public Switched Telephone Network)）を介して印刷データの送受信を行うものがあるが、このようなＦＡＸでも例えばＴ．３０方式をデジタルのＦＡＸプロトコルの１つであるみなし音声方式に変換するＶｏＩＰ（Voice over Internet Protocol）ゲートウェイのようにアナログのＦＡＸプロトコルとデジタルのＦＡＸプロトコルとの変換を行うゲートウェイを介してＩＰネットワークに接続することで、ＩＰネットワークを介した印刷データの送受信が従来より可能となっている。しかし、このようなゲートウェイを介したＦＡＸでは、デジタルのＦＡＸプロトコルで印刷データの送受信を行う装置に対しては印刷データの送信が可能であるが、ＨＴＴＰで印刷データの送受信を行うプリンターに対して印刷データの送信を行うことはできない。
【０００５】
本発明は、上述した課題に鑑みなされたものであり、デジタルのＦＡＸプロトコルとＨＴＴＰとのいずれにより印刷コンテンツを受信して印刷する受信端末に対しても、アナログのＦＡＸプロトコルで印刷コンテンツを送信する送信端末からの印刷コンテンツの送信を可能にすることを主目的とする。
【課題を解決するための手段】
【０００６】
本発明は、上述の主目的を達成するために以下の手段を採った。
【０００７】
本発明の第１の信号変換装置は、
印刷可能な印刷コンテンツをアナログのＦＡＸプロトコルにより送信する送信端末と、
前記印刷コンテンツを受信して印刷する受信端末として前記印刷コンテンツをデジタルのＦＡＸプロトコルにより受信して印刷するＦＡＸ受信端末又は前記印刷コンテンツをＨＴＴＰにより受信して印刷するＨＴＴＰ受信端末が接続されたＩＰネットワークに接続されており、前記送信端末が前記印刷コンテンツを送信すべく前記アナログのＦＡＸプロトコルで用いる形式で出力した接続要求信号を受信したときは、該送信端末と前記アナログのＦＡＸプロトコルで用いる形式でデータの送受信を行うと共に該ＦＡＸ受信端末とデジタルのＦＡＸプロトコルで用いる形式で該ＩＰネットワークを介してデータの送受信を行って該送信端末と該ＦＡＸ受信端末との接続を確立するＦＡＸプロトコル接続確立処理と、該接続確立後に該送信端末から該アナログのＦＡＸプロトコルで用いる形式で前記印刷コンテンツを受信し該受信した印刷コンテンツを前記デジタルのＦＡＸプロトコルで用いる形式に変換して該ＩＰネットワークを介して前記ＦＡＸ受信端末に送信するＦＡＸプロトコル変換処理と、を実行し、前記ＨＴＴＰで用いる形式のデータを受信したときは、該データをそのまま中継するＨＴＴＰ中継処理を実行するホームゲートウェイと、
の間に接続された信号変換装置であって、
前記送信端末と電話回線を介してデータの入出力が可能な第１入出力手段と、
前記ホームゲートウェイとＬＡＮケーブルを介してデータの入出力が可能な第２入出力手段と、
前記ホームゲートウェイと電話回線を介してデータの入出力が可能な第３入出力手段と、
前記第１入出力手段による前記送信端末とのデータの送受信と、前記第２入出力手段又は前記第３入出力手段による前記ホームゲートウェイとのデータの送受信と、を行うデータ送受信手段と、
を備え、
前記データ送受信手段は、
前記接続要求信号を前記第１入出力手段を介して受信したときは、前記第１入出力手段を介して該送信端末と前記アナログのＦＡＸプロトコルで用いる形式でデータの送受信を行うと共に前記第２入出力手段，前記ホームゲートウェイ及び前記ＩＰネットワークを介して前記受信端末と前記ＨＴＴＰで用いる形式でデータの送受信を行って該送信端末と該受信端末との接続の確立を試みるＨＴＴＰ接続確立処理を実行し、
前記ＨＴＴＰ接続確立処理による接続が確立できたときは、該接続を試みた受信端末はＨＴＴＰ受信端末であるとみなして、前記第１入出力手段を介して前記送信端末から前記アナログのＦＡＸプロトコルで用いる形式で前記印刷コンテンツを受信し該受信した印刷コンテンツを前記ＨＴＴＰで用いる形式に変換して前記第２入出力手段，前記ホームゲートウェイ及び前記ＩＰネットワークを介して該接続した受信端末に送信するＨＴＴＰ変換処理を実行し、
前記ＨＴＴＰ接続確立処理による接続が確立できなかったときは、該接続を試みた受信端末はＦＡＸ受信端末であるとみなして、前記第１入出力手段を介して受信した接続要求信号を前記第３入出力手段を介して前記アナログのＦＡＸプロトコルで用いる形式で前記ホームゲートウェイに送信する処理及び前記第１入出力手段及び前記第３入出力手段を介して前記送信端末と該ホームゲートウェイとが送受信するデータをそのまま中継する処理を行うＦＡＸプロトコル中継処理を実行する、
ものである。
【０００８】
本発明の第１の信号変換装置は、接続要求信号を送信端末から受信すると、まずＨＴＴＰ接続確立処理を実行して受信端末との接続を試みる。そして、接続が確立したときには受信端末はＨＴＴＰ受信端末であるとみなしてＨＴＴＰ変換処理により送信端末から受信端末への印刷コンテンツの送信を行う。また、接続が確立しなかったときには受信端末はＦＡＸ受信端末であるとみなしてＦＡＸプロトコル中継処理を行い、アナログのＦＡＸプロトコルで用いる形式で接続要求信号を受信したホームゲートウェイがＦＡＸプロトコル接続確立処理及びＦＡＸプロトコル変換処理を行って送信端末から受信端末への印刷コンテンツを送信できるようにする。このように、アナログのＦＡＸプロトコルで印刷コンテンツを送信する送信端末と、アナログのＦＡＸプロトコルとデジタルのＦＡＸプロトコルとの間でプロトコルの変換を行うホームゲートウェイとの間に本発明の第１の信号変換装置を接続することで、送信端末からＨＴＴＰ受信端末への印刷コンテンツの送信を可能にすると共に、送信端末及びホームゲートウェイのみでも可能な送信端末からＦＡＸ受信端末への印刷コンテンツの送信を妨げない。以上により、デジタルのＦＡＸプロトコルとＨＴＴＰとのいずれにより印刷コンテンツを受信して印刷する受信端末に対しても、アナログのＦＡＸプロトコルで印刷コンテンツを送信する送信端末からの印刷コンテンツの送信を可能にすることができる。また、接続要求信号を受信するとまずＨＴＴＰ接続確立処理を実行し、接続が確立するか否かによって受信端末がＨＴＴＰ受信端末とＦＡＸ受信端末とのいずれであるかを判定して以降の処理を行うため、受信端末がデジタルのＦＡＸプロトコルとＨＴＴＰとのいずれにより印刷コンテンツを受信して印刷する受信端末かが不明な場合でも、受信端末への印刷コンテンツの送信が可能になる。
【０００９】
本発明の第１の信号変換装置において、前記接続要求信号に含まれる受信端末の識別情報を前記ＨＴＴＰ接続確立処理による接続の確立が不可能な受信端末の識別情報として記憶可能な記憶手段、を備え、前記データ送受信手段は、前記接続要求信号を受信すると、前記ＨＴＴＰ接続確立処理を実行する前に、該受信した接続要求信号に含まれる受信端末の識別情報が前記ＨＴＴＰ接続確立処理による接続の確立が不可能な受信端末の識別情報として前記記憶領域に記憶されているか否かを判定し、肯定的な判定をしたときは、該受信端末はＦＡＸ受信端末であるとみなして該ＨＴＴＰ接続確立処理を行うことなく前記ＦＡＸプロトコル中継処理を実行し、否定的な判定をしたときは、前記ＨＴＴＰ接続確立処理を実行し、前記ＨＴＴＰ接続確立処理による接続が確立できたときは、前記ＨＴＴＰ変換処理を実行し、前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶する処理及び前記ＦＡＸプロトコル中継処理を実行するものとしてもよい。こうすれば、一度ＨＴＴＰ接続確立処理による接続の確立が不可能なＦＡＸ受信端末であるとみなした受信端末について、以降に印刷コンテンツを送信する場合に最初から受信端末に適したプロトコルで用いる形式で接続を確立して印刷コンテンツを送信できる。
【００１０】
この場合において、前記記憶手段は、前記識別情報を前記ＨＴＴＰ接続確立処理による接続の確立が不可能な受信端末の識別情報として記憶するにあたり、該記憶を行った時期を表す時期情報を該識別情報に対応づけて記憶可能な手段であり、前記データ送受信手段は、前記接続要求信号を受信して前記ＨＴＴＰ接続確立処理を実行する前に前記判定を行い肯定的な判定をしたとき、該受信した接続要求信号に含まれる受信端末の識別情報に現在から所定期間未満の時期を表す時期情報が対応づけて記憶されている場合は、該ＨＴＴＰ接続確立処理を行うことなく前記ＦＡＸプロトコル中継処理を実行し、該受信した接続要求信号に含まれる受信端末の識別情報に現在から所定期間以上前の時期を表す時期情報が対応づけて記憶されている場合は、該ＨＴＴＰ接続確立処理を実行し、前記ＨＴＴＰ接続確立処理による接続が確立できたときは、前記ＨＴＴＰ変換処理を実行し、前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶すると共に該記憶を行った時期を表す時期情報を該識別情報に対応づけて記憶する処理及び前記ＦＡＸプロトコル中継処理を実行するものとしてもよい。こうすれば、一度ＨＴＴＰ接続確立処理による接続の確立が不可能なＦＡＸ受信端末であるとみなした受信端末であっても所定期間以上経過するとＨＴＴＰ接続確立処理を試みるため、受信端末がＨＴＴＰにより印刷コンテンツを受信して印刷する機能を備えたものになった場合に、そのことを検出して、以降はＨＴＴＰによる印刷コンテンツの送信を行うことができる。
【００１１】
本発明の第２の信号変換装置は、
印刷可能な印刷コンテンツをアナログのＦＡＸプロトコルにより送信する送信端末と、
前記印刷コンテンツを受信して印刷する受信端末として前記印刷コンテンツをデジタルのＦＡＸプロトコルにより受信して印刷するＦＡＸ受信端末又は前記印刷コンテンツをＨＴＴＰにより受信して印刷するＨＴＴＰ受信端末が接続されたＩＰネットワークと、
の間に接続された信号変換装置であって、
前記送信端末とのデータの送受信と、前記受信端末と該ＩＰネットワークを介してのデータの送受信と、を行うデータ送受信手段、
を備え、
前記データ送受信手段は、
前記送信端末が印刷コンテンツを送信すべく出力した接続要求信号を受信したときは、該送信端末と前記アナログのＦＡＸプロトコルで用いる形式でデータの送受信を行うと共に前記ＩＰネットワークを介して該受信端末と前記ＨＴＴＰで用いる形式でデータの送受信を行って該送信端末と該受信端末との接続を試みるＨＴＴＰ接続確立処理を実行し、
前記ＨＴＴＰ接続確立処理による接続が確立できたときは、該接続を試みた受信端末はＨＴＴＰ受信端末であるとみなして、前記送信端末から前記アナログのＦＡＸプロトコルで用いる形式で前記印刷コンテンツを受信し該受信した印刷コンテンツを前記ＨＴＴＰで用いる形式に変換して前記ＩＰネットワークを介して該接続した受信端末に送信するＨＴＴＰ変換処理を実行し、
前記ＨＴＴＰ接続確立処理による接続が確立できなかったときは、該接続を試みた受信端末はＦＡＸ受信端末であるとみなして、該送信端末と前記アナログのＦＡＸプロトコルで用いる形式でデータの送受信を行うと共に該受信端末と前記デジタルのＦＡＸプロトコルで用いる形式で前記ＩＰネットワークを介してデータの送受信を行って該送信端末と該受信端末との接続を確立するＦＡＸプロトコル接続確立処理を実行して、該接続確立後に該送信端末から該アナログのＦＡＸプロトコルで用いる形式で前記印刷コンテンツを受信し該受信した印刷コンテンツを前記デジタルのＦＡＸプロトコルで用いる形式に変換して該ＩＰネットワークを介して前記受信端末に送信するＦＡＸプロトコル変換処理を行う、
ものである。
【００１２】
本発明の第２の信号変換装置は、接続要求信号を送信端末から受信すると、まずＨＴＴＰ接続確立処理を実行して受信端末との接続を試みる。そして、接続が確立したときには受信端末はＨＴＴＰ受信端末であるとみなしてＨＴＴＰ変換処理により送信端末から受信端末への印刷コンテンツの送信を行う。また、接続が確立しなかったときには受信端末はＦＡＸ受信端末であるとみなしてＦＡＸプロトコル接続確立処理を行い、接続確立後にＦＡＸプロトコル変換処理により送信端末から受信端末への印刷コンテンツの送信を行う。したがって、デジタルのＦＡＸプロトコルとＨＴＴＰとのいずれにより印刷コンテンツを受信して印刷する受信端末に対しても、アナログのＦＡＸプロトコルで印刷コンテンツを送信する送信端末からの印刷コンテンツの送信を可能にすることができる。また、接続要求信号を受信するとまずＨＴＴＰ接続確立処理を実行し、接続が確立するか否かによって受信端末がＨＴＴＰ受信端末とＦＡＸ受信端末とのいずれであるかを判定して以降の処理を行うため、受信端末がデジタルのＦＡＸプロトコルとＨＴＴＰとのいずれにより印刷コンテンツを受信して印刷する受信端末かが不明な場合でも、受信端末への印刷コンテンツの送信が可能になる。
【００１３】
本発明の第２の信号変換装置において、前記接続要求信号に含まれる受信端末の識別情報を前記ＨＴＴＰ接続確立処理による接続の確立が不可能な受信端末の識別情報として記憶可能な記憶手段、を備え、前記データ送受信手段は、前記接続要求信号を受信すると、前記ＨＴＴＰ接続確立処理を実行する前に、該受信した接続要求信号に含まれる受信端末の識別情報が前記ＨＴＴＰ接続確立処理による接続の確立が不可能な受信端末の識別情報として前記記憶領域に記憶されているか否かを判定し、肯定的な判定をしたときは、該受信端末はＦＡＸ受信端末であるとみなして該ＨＴＴＰ接続確立処理を行うことなく前記ＦＡＸプロトコル接続確立処理を実行して該接続確立後に前記ＦＡＸプロトコル変換処理を実行し、否定的な判定をしたときは、前記ＨＴＴＰ接続確立処理を実行し、前記ＨＴＴＰ接続確立処理による接続が確立できたときは、前記ＨＴＴＰ変換処理を実行し、前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶し、前記ＦＡＸプロトコル接続確立処理を実行して該接続確立後に前記ＦＡＸプロトコル変換処理を実行するものとしてもよい。こうすれば、一度ＨＴＴＰ接続確立処理による接続の確立が不可能なＦＡＸ受信端末であるとみなした受信端末について、以降に印刷コンテンツを送信する場合に最初から受信端末に適したプロトコルで用いる形式で接続を確立して印刷コンテンツを送信できる。
【００１４】
この場合において、前記記憶手段は、前記識別情報を前記ＨＴＴＰ接続確立処理による接続の確立が不可能な受信端末の識別情報として記憶するにあたり、該記憶を行った時期を表す時期情報を該識別情報に対応づけて記憶可能な手段であり、前記データ送受信手段は、前記接続要求信号を受信して前記ＨＴＴＰ接続確立処理を実行する前に前記判定を行い肯定的な判定をしたとき、該受信した接続要求信号に含まれる受信端末の識別情報に現在から所定期間未満の時期を表す時期情報が対応づけて記憶されている場合は、該ＨＴＴＰ接続確立処理を行うことなく前記ＦＡＸプロトコル接続確立処理を実行して該接続確立後に前記ＦＡＸプロトコル変換処理を実行し、該受信した接続要求信号に含まれる受信端末の識別情報に現在から所定期間以上前の時期を表す時期情報が対応づけて記憶されている場合は、該ＨＴＴＰ接続確立処理を実行し、前記ＨＴＴＰ接続確立処理による接続が確立できたときは、前記ＨＴＴＰ変換処理を実行し、前記ＨＴＴＰ接続確立処理による接続が確立できなかったときは、該接続を試みた受信端末の識別情報を該ＨＴＴＰ接続確立処理による接続の確立が不可能な受信端末の識別情報として前記記憶領域に記憶すると共に該記憶を行った時期を表す時期情報を該識別情報に対応づけて記憶し、前記ＦＡＸプロトコル接続確立処理を実行して該接続確立後に前記ＦＡＸプロトコル変換処理を実行するものとしてもよい。こうすれば、一度ＨＴＴＰ接続確立処理による接続の確立が不可能なＦＡＸ受信端末であるとみなした受信端末であっても所定期間以上経過するとＨＴＴＰ接続確立処理を試みるため、受信端末がＨＴＴＰにより印刷コンテンツを受信して印刷する機能を備えたものになった場合に、そのことを検出して、以降はＨＴＴＰによる印刷コンテンツの送信を行うことができる。
【図面の簡単な説明】
【００１５】
【図１】実施形態の変換器７０を備えた印刷システム１０の構成図。
【図２】ＦＡＸ装置４０と複合機２０とのシーケンスを示す説明図。
【図３】印刷コンテンツ送受信処理のシーケンスを示す説明図。
【図４】プロトコル判定ルーチンの一例を示すフローチャート。
【図５】ＩＮＶＩＴＥメッセージのＳＤＰの内容の一例を示す説明図。
【図６】「200 OK」のＳＤＰの内容の一例を示す説明図。
【図７】送信側能力要求の内容の一例を示す説明図。
【図８】送信側能力応答の内容の一例を示す説明図。
【図９】ページ情報要求の内容の一例を示す説明図。
【図１０】ページ情報応答の内容の一例を示す説明図。
【図１１】データ要求の内容の一例を示す説明図。
【図１２】次ページが無い場合のページ情報応答の内容の一例を示す説明図。
【図１３】ＦＡＸ装置４０とＦＡＸ装置３０とのシーケンスを示す説明図。
【図１４】印刷コンテンツ送受信処理のシーケンスを示す説明図。
【図１５】識別情報記憶領域７４ａに記憶された識別情報と時期情報との説明図。
【発明を実施するための形態】
【００１６】
次に本発明を具現化した実施形態について図面を用いて説明する。図１は実施形態である変換器７０を備えた印刷システム１０の構成の概略の一例を示す構成図である。図示するように、印刷システム１０は、ＩＰネットワーク１１と、ＩＰネットワーク１１に接続された複合機２０及びＦＡＸ装置３０と、ホームゲートウェイ（ＨＧＷ）６０及び変換器７０を介してＩＰネットワーク１１に接続されたＦＡＸ装置４０と、を備えている。
【００１７】
ＩＰネットワーク１１は、例えば、次世代ネットワーク（NGN（Next Generation Network））として構成されており、複合機２０，ＦＡＸ装置３０，４０などのユーザー・エージェントからのＩＰメッセージを中継するＳＩＰ（Session Initiation Protocol）プロキシー・サーバー１２，１４，１６や、ユーザー・エージェントの位置情報（例えば、ＵＲＩ（Uniform Resource Identifier）など）を記憶する図示しないロケーション・サーバーを備えている。
【００１８】
複合機２０は、スキャナーとしても機能すると共にプリンターとしても機能する装置であり、ＩＰネットワーク１１を介してＨＴＴＰにより画像データを含む印刷コンテンツの送受信が可能な装置である。この複合機２０は、図示しないインターフェース（Ｉ／Ｆ）を介してＩＰネットワーク１１のＳＩＰプロキシー・サーバー１２と接続されている。複合機２０は、装置全体を制御する制御部２１と、文字や画像データなどを印刷する印刷実行部２２と、紙などの媒体の文字や画像などをスキャンして画像データとするスキャン実行部２３と、制御部２１が実行する各種プログラムを記憶したり印刷するためのデータを一時的に記憶したりスキャンにより得られる画像データを一時的に記憶したりするメモリー２４と、ユーザーに各種情報を表示したりユーザーからの各種指示が入力されたりする操作部２５と、メモリーカード２７が接続されたときにメモリーカード２７にデータを書き込んだりメモリーカード２７に記憶されたデータを読み込んだりするためのメモリーカードドライバー２６と、を備えている。なお、印刷実行部２２は、各色のインクに圧力をかけこの加圧されたインクを記録紙に吐出することで画像データに基づく画像を記録紙に印刷する印刷処理を実行するインクジェット方式の機構である。なお、インクへ圧力をかける機構は、圧電素子の変形によるものとしてもよいしヒーターの熱による気泡の発生によるものとしてもよい。また、スキャン実行部２３は、ガラス台に載置された書類に向かって発光したあとの反射光を各色に分解して読取データとする周知のカラーイメージセンサーを走査して原稿を読み取るスキャナー機構として構成されている。
【００１９】
ＦＡＸ装置３０は、デジタルのＦＡＸプロトコルの１つであるみなし音声方式により印刷コンテンツの送受信を行うＦＡＸとして構成された装置である。このＦＡＸ装置３０は、図示しないＩ／Ｆを介してＩＰネットワーク１１のＳＩＰプロキシー・サーバー１４と接続されている。ＦＡＸ装置３０は、装置全体を制御する制御部３１と、文字や画像データなどを印刷する印刷実行部３２と、紙などの媒体の文字や画像などをスキャンして画像データとするスキャン実行部３３と、制御部３１が実行する各種プログラムを記憶したり印刷するためのデータを一時的に記憶したりスキャンにより得られる画像データを一時的に記憶したりするメモリー３４と、ユーザーに各種情報を表示したりユーザーからの各種指示が入力されたりする操作部３５と、を備えている。なお、印刷実行部３２は、単一感光体方式と中間転写方式とを採用したフルカラーの電子写真方式の印刷装置として構成されており、各色の画像の静電潜像をトナー像として現像し、記録紙に転写し加熱溶着させるものである。スキャン実行部３３は、書類に向かって発光したあとの反射光を各色に分解して読取データとする周知のカラーイメージセンサーを走査して原稿を読み取るスキャナー機構として構成されている。
【００２０】
ＦＡＸ装置４０は、アナログのＦＡＸプロトコルの１つであるＩＴＵ−Ｔ (International Telecommunication Union Telecommunication Standardization Sector) 勧告のＴ．３０方式により印刷コンテンツの送受信を行うＧ３対応ＦＡＸとして構成された装置であり、図示しないＩ／Ｆを介して変換器７０と電話回線で接続されている。このＦＡＸ装置４０の各構成要素はＦＡＸ装置３０の各構成要素と同様である。そのため、このＦＡＸ装置４０の構成要素にはＦＡＸ装置３０の構成要素の符号に値１０を加えた符号を付し、その説明を省略する。
【００２１】
ＨＧＷ６０は、変換器７０とＩＰネットワーク１１との間に設置され、ルーターとしての機能やＴ．３０方式とみなし音声方式との間でプロトコルの変換を行う機能を備える装置である。このＨＧＷ６０は、装置全体を制御する制御部６１や、制御部６１が実行する各種プログラムを記憶したりデータを一時的に記憶したりするメモリー６４や、Ｉ／Ｆ６５，６６，６７を備えており、Ｉ／Ｆ６５を介してＩＰネットワーク１１のＳＩＰプロキシー・サーバー１６と接続され、Ｉ／Ｆ６６を介して変換器７０とＬＡＮケーブルで接続され、Ｉ／Ｆ６７を介して変換器７０と電話回線で接続されている。ＨＧＷ６０は、Ｉ／Ｆ６７及び変換器７０を介してＦＡＸ装置４０からＴ．３０方式で用いる形式のデータを受信すると、ＶｏＩＰ（Voice over Internet Protocol）ゲートウェイとして機能する。すなわち、ＦＡＸ装置４０が送受信可能なＴ．３０方式のアナログ信号とＩＰネットワーク１１で利用可能なＦＡＸプロトコルの１つであるみなし音声方式のＩＰパケットとを相互に変換して、ＦＡＸ装置４０からみなし音声方式で印刷コンテンツを受信する端末（例えば、ＦＡＸ装置３０）にＩＰネットワーク１１を介して印刷コンテンツの送信を行えるようにする。また、ＨＧＷ６０は、Ｉ／Ｆ６６やＩ／Ｆ６５を介してＨＴＴＰで用いる形式のデータを受信すると、受信したデータをそのまま中継するＨＴＴＰ中継処理を行う。したがって、Ｉ／Ｆ６６を介して受信したＨＴＴＰで用いる形式のデータはＩ／Ｆ６５を介してそのまま送信され、Ｉ／Ｆ６５を介して受信したＨＴＴＰで用いる形式のデータはＩ／Ｆ６６を介してそのまま送信される。
【００２２】
変換器７０は、ＦＡＸ装置４０とＨＧＷ６０との間に設置され、Ｔ．３０方式とＨＴＴＰとの間でプロトコルの変換を行う機能を備える装置である。この変換器７０は、装置全体を制御する制御部７１や、制御部７１が実行する各種プログラムを記憶したりデータを一時的に記憶したりするメモリー７４や、Ｉ／Ｆ７５，７６，７７を備えており、Ｉ／Ｆ７５を介してＦＡＸ装置４０と電話回線で接続され、Ｉ／Ｆ７６を介してＨＧＷ６０のＩ／Ｆ６６とＬＡＮケーブルで接続され、Ｉ／Ｆ７７を介してＨＧＷ６０のＩ／Ｆ６７と電話回線で接続されている。変換器７０は、ＦＡＸ装置４０からＩ／Ｆ７５を介して受信したＴ．３０方式で用いる形式のデータを、ＨＴＴＰで用いる方式に変換しＩ／Ｆ７６を介してＨＧＷ６０に送信したり、受信したデータをそのままＩ／Ｆ７７を介してＨＧＷ６０に送信したりする。なお、詳しくは後述するが、メモリー７４には、ＨＴＴＰで用いる形式による接続の確立が不可能な装置の識別情報を記憶する識別情報記憶領域７４ａが設けられている。
【００２３】
次に、こうして構成された本実施形態の変換器７０の動作、特に、ＦＡＸ装置４０から複合機２０やＦＡＸ装置３０へ印刷コンテンツを送信する際の変換器７０の動作について説明する。
【００２４】
まず、ＦＡＸ装置４０から複合機２０へ初めて印刷コンテンツを送信する際の変換器７０の動作について説明する。図２は、ＦＡＸ装置４０と複合機２０とが変換器７０及びＨＧＷ６０を介して接続を確立し印刷コンテンツの送受信を行って接続を切断するまでのシーケンスを示す説明図であり、図３は、図２のシーケンスのうち実際に印刷コンテンツを送受信する印刷コンテンツ送受信処理についてのシーケンスを詳細に示した説明図である。なお、図２及び図３ではＳＩＰプロキシー・サーバー１２，１６の記載については省略しているが、実際はＨＧＷ６０と複合機２０とはＩＰネットワーク１１のＳＩＰプロキシー・サーバー１２，１６を介してデータの送受信を行っている。
【００２５】
ＦＡＸ装置４０から複合機２０への印刷コンテンツの送信は、ＦＡＸ装置４０のユーザーが送信したい印刷コンテンツが記載された書類をスキャン実行部４３にセットし、操作部４５を操作して送信先である複合機２０に割り当てられている固有の識別情報（例えば番号）の入力を行い、図示しない送信ボタンを押下することで開始される。ユーザーが送信ボタンを押下すると、ＦＡＸ装置４０の制御部４１は、ユーザーにより入力された識別情報に割り当てられている複合機２０に印刷コンテンツを送信するため、複合機２０と接続を確立する呼制御処理として、まず、変換器７０に向けて発呼信号を送信する（ステップＳ１００）。発呼信号を受信した変換器７０の制御部７１は、ＦＡＸ装置４０に発信音（ダイヤル・トーン）を送信し（ステップＳ１１０）、発信音を受信したＦＡＸ装置４０の制御部４１が送信する選択信号を受信する（ステップＳ１２０）。この選択信号には、ユーザーにより入力された送信先の識別情報、すなわち複合機２０固有の識別情報が含まれている。
【００２６】
選択信号を受信した変換器７０の制御部７１は、ＦＡＸ装置４０が印刷コンテンツを送信する送信先の装置がＨＴＴＰとみなし音声方式とのいずれにより印刷コンテンツの受信及び印刷が可能な装置かを判定するプロトコル判定ルーチンを開始する（ステップＳ１３０）。図４は、プロトコル判定ルーチンの一例を示すフローチャートである。以降は、図４のプロトコル判定ルーチンと図２のシーケンスとを適宜参照しながら説明する。
【００２７】
図４のプロトコル判定ルーチンが開始されると、制御部７１は、まず、ステップＳ１２０で受信した選択信号に含まれる識別情報が、ＨＴＴＰで用いる形式による接続の確立が不可能な装置の識別情報としてメモリー７４の識別情報記憶領域７４ａに記憶されているか否かを判定する（ステップＳ９００）。ここで、メモリー７４は、後述する処理においてＨＴＴＰで用いる形式による接続の確立が不可能と判定された装置の識別情報を識別情報記憶領域７４ａに記憶できるようになっている。したがって、識別情報記憶領域７４ａにステップＳ１２０で受信した選択信号に含まれる識別情報が記憶されているか否かによって、その識別情報で特定される装置がＨＴＴＰで用いる形式による接続の確立が不可能か否かを判定するのである。いま、ＦＡＸ装置４０が複合機２０に印刷コンテンツの送信を初めて行う場合について考えており、複合機２０の識別情報は識別情報記憶領域７４ａに記憶されていないため、ステップＳ９００では否定的な判定をする。
【００２８】
ステップＳ９００で否定的な判定をすると、制御部７１は、ＨＴＴＰ接続確立処理を開始し（ステップＳ９１０）、接続の確立ができたか否かを判定する（ステップＳ９２０）。ＨＴＴＰ接続確立処理は、Ｉ／Ｆ７５を介してＦＡＸ装置４０とＴ．３０方式で用いる形式でデータの送受信を行うと共に、識別情報で特定される装置である複合機２０とＩ／Ｆ７６，ＨＧＷ６０，ＩＰネットワーク１１を介してＨＴＴＰで用いる形式でデータの送受信を行って、ＦＡＸ装置４０と複合機２０との接続の確立を試みる処理である。制御部７１は、このＨＴＴＰ接続確立処理として、まず、複合機２０とＨＴＴＰで用いる形式であるＳＩＰによるセッションを確立すべく、Ｉ／Ｆ７６，ＨＧＷ６０，ＩＰネットワーク１１を介して複合機２０に向けてＩＮＶＩＴＥメッセージを送信する（ステップＳ１４０（図２参照））。
【００２９】
図５は変換器７０がステップＳ１４０で送信するＩＮＶＩＴＥメッセージにおけるＳＤＰ(Session Description Protocol)の内容の一例である。図５のＳＤＰはメディア記述部を構成している。ＳＤＰでは、「m=」行はメディア種類やトランスポートアドレスの情報を示す。図５の「m=」行では、「TCP(Transmission Control Protocol）」を用いてペイロードタイプ「newprint1」で規定されているアプリケーション(application)をポート番号「8080」で扱うことを意味している。ここで、「m=」行における「newprint1」の記述は、ＨＴＴＰによる印刷コンテンツデータの送受信を含むことを識別するものとしても機能しており、この「newprint1」の記述により、印刷コンテンツを送信する端末がサーバー・クライアントモデルにおけるサーバーとして機能し、印刷コンテンツを受信する端末がサーバー・クライアントモデルにおけるクライアントとして機能してＨＴＴＰによる印刷コンテンツの送受信を行うものとしている。このことは、図５の「a=setup:passive」から送信側の端末である変換器７０が「受動側」（サーバー）として機能することからも解る。ＳＤＰでは、「C=」行はセッションに含まれるメディアのアドレスを示す。図５の「C=」行では、「IN IP xxx.xxx.xxx.xxx」と記述することにより送信側である変換器７０のＩＰアドレスが「xxx.xxx.xxx.xxx」であることが解る。また、図５の最終行の「a=」行の「newprint/capability.xml」の記述は、セッションが確立した後の印刷コンテンツを受信する端末からの最初の要求先のＵＲＬである。この記述により、サーバー・クライアントモデルにおけるクライアントとして機能する受信側の端末が最初に変換器７０に対して要求する能力要求のＵＲＬを取得することができるようになっている。なお、図示しないが、変換器７０が送信するＩＮＶＩＴＥメッセージのヘッダーには、送信先を特定する情報として、上述した複合機２０固有の識別情報が記述されている。
【００３０】
なお、この変換器７０のＩ／Ｆ７６を介して送信されたＩＮＶＩＴＥメッセージは、まずＩ／Ｆ６６を介してＨＧＷ６０に受信される。ここで、上述したように、ＨＧＷ６０はＩ／Ｆ６６を介して受信したＨＴＴＰで用いる形式のデータについては、受信したデータをそのままＩ／Ｆ６５を介してＩＰネットワーク１１へ送信するＨＴＴＰ中継処理を行う。そのため、このＩＮＶＩＴＥメッセージもＩＰネットワーク１１のＳＩＰプロキシー・サーバー１６へそのまま送信される。そして、ＳＩＰプロキシー・サーバー１６は、このＩＮＶＩＴＥメッセージを受信すると、ＩＮＶＩＴＥメッセージのヘッダーに記述されている複合機２０固有の識別情報に基づいて複合機２０のＵＲＩを特定しこのＵＲＩに基づいてこのＩＮＶＩＴＥメッセージをＳＩＰプロキシー・サーバー１２に送信し、ＳＩＰプロキシー・サーバー１２も同様に複合機２０のＵＲＬを特定して複合機２０にＩＮＶＩＴＥメッセージを送信して、複合機２０に受信される。なお、複合機２０固有の識別情報に基づく複合機２０のＵＲＩの特定は、例えば、ＩＰネットワーク１１のロケーション・サーバーに識別情報を送信して対応するＵＲＩを取得することにより行うことができる。
【００３１】
複合機２０は上述したようにＨＴＴＰにより印刷コンテンツの送受信が可能な装置であるため、複合機２０がステップＳ１４０のＩＮＶＩＴＥメッセージを受信すると、制御部２１は、ＳＩＰによるセッションを確立するべく、呼び出し中を意味する状態コードとしての「180Ringing」を応答として変換器７０に送信する（ステップＳ１５０）。なお、このときも、ＩＮＶＩＴＥメッセージの送信時と同様に、「180Ringing」のヘッダーに記述されている変換器７０固有の識別情報（ＩＮＶＩＴＥメッセージに含まれていた変換器７０のＩＰアドレス）に基づいてＳＩＰプロキシー・サーバー１２，１６は変換器７０のＵＲＩを特定してＨＧＷ６０に「180Ringing」を送信しており、ＨＧＷ６０はＨＴＴＰ中継処理を行って「180Ringing」を変換器７０に中継している。このようなＳＩＰプロキシー・サーバー１２，１６，ＨＧＷ６０によるデータの中継は、以降の処理においても同様であるため、以降は説明を省略する。
【００３２】
続いて、「180Ringing」を受信した変換器７０の制御部７１は、呼び出し中を意味する呼出音をＦＡＸ装置４０に送信する（ステップＳ１６０）。一方、複合機２０の制御部２１は、ステップＳ１５０の「180Ringing」を送信すると、セッション確立の準備を行った後、セッションを確立するための呼び出しに対する成功を意味する状態コードとしての「200 OK」を変換器７０に送信する（ステップＳ１７０）。
【００３３】
図６は複合機２０がステップＳ１７０で送信する「200 OK」のメッセージにおけるＳＤＰの内容の一例である。図６の「m=」行では、「TCP」を用いてペイロードタイプ「newprint1」で規定されているアプリケーション（application）をポート番号「3180」で扱うことを意味している。また、図６の「newprint1」及び「a=setup:active」から、印刷コンテンツの受信側（ここでは複合機２０）が「能動側」（クライアント）として機能してＨＴＴＰによる印刷コンテンツの送受信を行うことを表していることが解る。
【００３４】
そして、この「200 OK」を受信した変換器７０の制御部７１は応答信号をＦＡＸ装置４０に送信する（ステップＳ１８０）と共に、ＩＮＶＩＴＥメッセージに対する最終応答の受信確認として状態コードとしての「ACK」を複合機２０に送信する（ステップＳ１９０）。以上のステップＳ１４０〜Ｓ１９０によりＨＴＴＰ接続確立処理による接続の確立が行われて、ステップＳ１００〜Ｓ１９０の呼制御処理が終了する。ここで、変換器７０の制御部７１は、ステップＳ１７０の「200 OK」を複合機２０から受信したことでＨＴＴＰ接続確立処理による接続の確立ができたとみなして、図４のプロトコル判定ルーチンにおけるステップＳ９２０で肯定的な判定をする。
【００３５】
ステップＳ９２０で肯定的な判定をすると、制御部７１は、接続の確立を行った複合機２０はＨＴＴＰにより印刷コンテンツを受信して印刷する装置であるとみなし、以降はＴ．３０方式で印刷コンテンツを送信するＦＡＸ装置４０からＨＴＴＰにより印刷コンテンツを受信して印刷する複合機２０に印刷コンテンツが送信されるよう、Ｔ．３０方式とＨＴＴＰとのプロトコルの変換を開始して（ステップＳ９３０）、後述するＦＡＸ通信開始処理，能力調整処理，回線状況確認処理，印刷コンテンツ送受信処理，呼切断処理を行い、接続が終了するまで待つ（ステップＳ９４０）。
【００３６】
ステップＳ９３０によりプロトコルの変換が開始された後、制御部７１は、まず、ＦＡＸ通信の準備を行うＦＡＸ通信開始処理としてＦＡＸ装置４０が送信する「CNG(calling tone）」をＦＡＸ装置４０から受信することになる（ステップＳ２００（図２参照））。この「CNG」は、ＦＡＸ通信の開始を要求する信号である。そして、「CNG」を受信した変換器７０の制御部７１はＦＡＸ通信を開始できる旨を伝える「CED(called terminal identification）」をＦＡＸ装置４０に送信する（ステップＳ２１０）。以上のステップＳ２００〜Ｓ２１０のＦＡＸ通信開始処理は、Ｔ．３０方式で規定されている処理であり、通常は送信側の端末が「CNG」を送信し受信側の端末が応答として「CED」を送信することにより行われるものである。複合機２０はＨＴＴＰにより印刷コンテンツの送受信を行う装置でありこのＦＡＸ通信開始処理は行わないため、変換器７０が「CNG」を受信して「CED」を送信するのである。このＦＡＸ通信開始処理により、ＦＡＸ装置４０がＦＡＸ通信を行う準備が整う。
【００３７】
ＦＡＸ通信開始処理が終了すると、変換器７０の制御部７１は、今回の印刷コンテンツの送受信で使用する能力を調整するための能力調整処理として、まず、印刷コンテンツを受信側の端末が受信して印刷する能力としての受信側仮能力情報や受信側の端末の通信速度としての仮通信速度情報を含む「DIS(digital identification signal)」をＦＡＸ装置４０に送信する（ステップＳ２２０）。この「DIS」は６４ビットの情報であり、受信側仮能力情報としては、受信及び印刷が可能な画像データのサイズ、画像データの解像度、ｔｉｆｆやｊｐｅｇなど印刷コンテンツを生成する符号化種別、カラー，モノクロなどの色種別、が含まれている。ここでは、受信側仮能力情報で表される能力は、画像データのサイズがＡ４，Ｂ５、解像度が２００×２００ｄｐｉ、符号化種別がｔｉｆｆ，色種別がカラー，モノクロ、であり、仮通信速度情報で表される通信速度は１４．４ｋビット／秒であるものとした。なお、この受信側仮能力情報及び仮通信速度情報は、予めメモリー７４に記憶されている。
【００３８】
ＦＡＸ装置４０がステップＳ３１０の「DIS」を受信すると、制御部４１は、ＦＡＸ装置４０が印刷コンテンツを送信する能力である送信側能力の範囲内及び「DIS」に含まれる受信側仮能力情報で表される能力の範囲内で、今回の印刷コンテンツの送受信で使用する使用能力を決定する（ステップＳ２３０）。具体的には、送信側能力と受信側仮能力とに共に含まれる最大の能力を使用能力に決定する。本実施形態では、ＦＡＸ装置４０の送信側能力は、画像データのサイズがＡ４，Ｂ５、解像度が２００×２００ｄｐｉ、符号化種別がｔｉｆｆ，色種別がカラー，モノクロ、である。そのため、画像データのサイズはＡ４，解像度は２００×２００ｄｐｉ，符号化種別はｔｉｆｆ，色種別はカラー、が使用能力として決定される。なお、例えば、ＦＡＸ装置４０の送信能力のうち色種別がモノクロであれば、送信側能力がモノクロで受信側仮能力がカラー，モノクロであるので、両方に含まれる最大の能力であるモノクロを使用能力に決定することになる。続いて、制御部４１は、ＦＡＸ装置４０の通信速度の範囲内及び「DIS」に含まれる仮通信速度情報で表される通信速度の範囲内で、今回の印刷コンテンツの送受信で使用する通信速度を決定する（ステップＳ２４０）。本実施形態では、ＦＡＸ装置４０の通信速度は９．６ｋビット／秒である。そのため、９．６ｋビット／秒と仮通信速度情報で表される１４．４ｋビット／秒とを比較して、９．６ｋビット／秒を今回使用する通信速度に決定する。
【００３９】
そして、使用能力及び使用する通信速度を決定すると、制御部４１は、使用能力を表す使用能力情報及び決定した通信速度を表す通信速度情報を含む「DCS(digital command signal)」を変換器７０に送信して決定した使用能力及び通信速度を通知する（ステップＳ２５０）。これにより、変換器７０は今回の印刷コンテンツの送受信でＦＡＸ装置４０が使用する能力及び通信速度を知ることができる。
【００４０】
一方、複合機２０の制御部２１は、呼制御処理が終了すると、能力調整処理として、変換器７０に送信側能力要求を送信する（ステップＳ２６０）。この送信側能力要求は、印刷コンテンツを送信側の端末が送信する能力を表す送信側能力情報を複合機２０へ送信する旨の要求である。図７は、送信側能力要求の内容の一例を示す説明図である。送信側能力要求の０１行には「要求」を示すコマンド「GET」及びステップＳ１４０で変換器７０から受信したＩＮＶＩＴＥメッセージに記述されていた最初の要求先のＵＲＬである「newprint/capability.xml」が記述されている。また、０２行はステップＳ１４０で変換器７０から受信したＩＮＶＩＴＥメッセージから得られる変換器７０のＩＰアドレスであり、０３行はＸＭＬのテキストを受け付ける意である。なお、このステップＳ２６０の送信側能力要求の送信は、呼制御処理の終了以降であれば行うことが可能であるため、例えば、ＦＡＸ通信開始処理を行っている間に複合機２０がステップＳ２６０の処理を行ってもよい。
【００４１】
そして、変換器７０がステップＳ２５０の「DCS」及びステップＳ２６０の送信側能力要求を受信すると、制御部７１は、「DCS」に含まれる使用能力情報で表される能力を送信側能力とし、この送信側能力を表す送信側能力情報を含む送信側能力応答を複合機２０に送信する（ステップＳ２７０）。
【００４２】
図８は、送信側能力応答の一例を示す説明図である。送信側能力応答の０１行は要求に対して成功を意味する「200 OK」であり、０２行は内容の種別がＸＭＬのテキストであることを意味し、０３行は長さを表す。そして、送信側能力情報は０８行〜４０行に記述されており、この例からは、送信可能な画像サイズ（１０行の「MediaSize」）はＡ４サイズ（１４行）であり、解像度（１９行の「PrintQuality」）は２００×２００ｄｐｉ（２１行）であり、符号化種別（２７行の「DocumentFormat」）はｔｉｆｆ（２９行の「img/tiff」）であり、色種別（３３行の「MonoColor」）はカラー（３５行）であることが解る。すなわち、ステップＳ２５０で受信した使用能力情報で表される能力をそのまま送信側能力として複合機２０に送信している。また、この送信側能力応答の４２行には、次に印刷コンテンツの受信側からページ情報要求する際のＵＲＬ（「newprint/capability1.xml」）が記述されている。このＵＲＬは、ステップＳ１４０で制御部７１が送信したＩＮＶＩＴＥメッセージにおけるＳＤＰで記述した変換器７０のＩＰアドレス「xxx.xxx.xxx.xxx」（図７では０２行の「HOST:xxx.xxx.xxx.xxx」）からの相対アドレスとなっている。さらに、４３行には、ステータス変更情報を受け取るためのＵＲＬ（「newprint/event/」）が記述されている。このステータス変更情報を受け取るためのＵＲＬは、印刷コンテンツの受信側が正常とは異なる状態、例えば受信した印刷コンテンツを印刷する際に紙詰まりが生じたときなどに変換器７０が複合機２０から情報を受け取るためのＵＲＬである。
【００４３】
複合機２０がステップＳ２７０の送信側能力応答を受信すると、制御部２１は、送信側能力応答に含まれる送信側能力情報で表される送信側能力の範囲内及び印刷コンテンツを複合機２０が受信して印刷する能力である受信側能力の範囲内で、今回の印刷コンテンツの送受信で使用する使用能力を決定する（ステップＳ２８０）。本実施形態では、複合機２０の受信側能力は、画像サイズがＡ３，Ｂ４，Ａ４，Ｂ５サイズ、解像度は２００×２００ｄｐｉ，３００×３００ｄｐｉ，４００×４００ｄｐｉ、符号化種別はｔｉｆｆ、色種別はカラー，モノクロである。したがって、複合機２０の受信側能力は、送信側能力応答に含まれる送信側能力情報で表される送信側能力と同じかそれ以上となっており、制御部２１は送信側能力をそのまま使用能力に決定することになる。
【００４４】
以上のステップＳ２２０〜Ｓ２８０で能力調整処理は終了する。ここで、Ｔ．３０方式では、受信側の端末が受信側能力情報を送信し、送信側の端末が使用能力を決定して受信側の端末に通知することになっている。一方、「newprint1」で規定されたＨＴＴＰによる印刷コンテンツの送受信を行うときには、受信側の端末がサーバー・クライアントモデルにおけるクライアントとして機能するため、受信側の端末が送信側能力要求を行って送信側能力情報を取得し、受信側の端末が使用能力を決定することになっている。そのため、ＦＡＸ装置４０が送信側の端末であり複合機２０が受信側の端末である場合には、ＦＡＸ装置４０及び複合機２０が共に相手の能力を取得して使用能力を決定しようとする。そこで、変換器７０はまず予めメモリー７４に記憶された受信側仮能力をＦＡＸ装置４０に送信し、ＦＡＸ装置４０に使用能力を決定させている。そして、決定した使用能力をＦＡＸ装置４０から変換器７０が受信して、使用能力を送信側能力として複合機２０に送信し、複合機２０にも使用能力を決定させている。これにより、ＦＡＸ装置４０及び複合機２０のプロトコルを共に満足させることができる。また、変換器７０は、受信側仮能力として、複合機２０の受信側能力以下の能力を予めメモリー７４に記憶している。これは、例えば、一般的な複合機が備えている最低限の能力を受信側仮能力として記憶しておくものとしてもよいし、予め複合機２０固有の識別情報と複合機２０の受信側能力とを対応づけてメモリー７４に記憶しているものとしてもよい。こうすることで、ＦＡＸ装置４０が決定した使用能力は複合機２０の送信側能力の範囲内になるため、ステップＳ２３０でＦＡＸ装置４０に決定される使用能力とステップＳ２８０で複合機２０に決定される使用能力とを同じ能力にすることができる。なお、Ｔ．３０方式では、受信側の端末が受信側能力情報の他に受信側の通信速度情報も送信し、印刷コンテンツを送受信する通信速度についても送信側の端末が決定することになっている。しかし「newprint1」で規定されたＨＴＴＰにおいては、通信速度の決定は行わないため、変換器７０は予めメモリー７４に記憶した仮通信速度情報を「DIS」に含めてステップＳ２２０でＦＡＸ装置４０に送信し、ＦＡＸ装置４０に今回使用する通信速度を決定させている。仮通信速度情報で表される通信速度は、一般的なＦＡＸ装置の通信速度と同等の通信速度としてもよいし、送信側の端末の最大の通信速度が今回使用する通信速度に決定されるよう、一般的なＦＡＸ装置の中で最も早い通信速度としてもよい。
【００４５】
上述した能力調整処理が終了すると、ＦＡＸ装置４０の制御部４１は、ＦＡＸ装置４０と変換器７０との間の通信回線の状況を確認する回線状況確認処理として、まず、トレーニング信号である「TCF(training check)」をステップＳ２４０で決定した今回使用する通信速度で変換器７０に送信する（ステップＳ２９０）。そして、変換器７０の制御部７１は受信した「TCF」に１ビットもエラーがなければ、エラーがない旨を伝える信号である「CFR(confirmation to receive)」をＦＡＸ装置４０に送信する（ステップＳ３００）。このステップＳ２９０〜Ｓ３００の回線状況確認処理により、ステップＳ２５０で通知した通信速度で通信が可能であることが確認でき、以降の印刷コンテンツの送受信をこの通信速度で行うことが決定される。この回線状況確認処理は、Ｔ．３０方式で規定されている処理であり、通常は送信側の端末と受信側の端末との間で行われるものである。複合機２０はＨＴＴＰにより印刷コンテンツの送受信を行う装置でありこの回線状況確認処理は行わないため、変換器７０が受信側の端末としての「TCF」の受信や「CFR」の送信を行うのである。なお、図２では図示していないが、ステップＳ２９０で変換器７０が受信した「TCF」にエラーがあるときには、制御部７１はエラーがある旨を伝える信号である「FTT(failure to train)」をＦＡＸ装置４０に送信し、ＦＡＸ装置４０の制御部４１は通信速度を１段階下げて再度「TCF」を変換器７０に送信することになる。そして、通信速度を順次下げて「TCF」と「FTT」の送受信を繰り返し、変換器７０から「CFR」を受信したときの通信速度が今回使用する通信速度として最終的に決定される。
【００４６】
回線状況確認処理が終了すると、ＦＡＸ装置４０の制御部４１は、印刷コンテンツをＦＡＸ装置４０から複合機２０へ送信する印刷コンテンツ送受信処理として、ステップＳ２３０で決定した使用能力且つＴ．３０方式で用いる形式で１ページ分の印刷コンテンツデータを作成し回線状況確認処理で決定した通信速度で変換器７０に送信する（ステップＳ３１０（図３参照））。なお、１ページ分の印刷コンテンツデータは、呼制御処理の前にＦＡＸ装置４０のユーザーがセットした書類をスキャン実行部４３に１ページ分読み取らせることで作成され、この印刷コンテンツデータはＴ．３０方式で用いる形式であるＨＤＬＣ（high level data link control）フレームとして順次送信される。変換器７０は、ＦＡＸ装置４０からこの印刷コンテンツデータを順次受信してメモリー７４に記憶する。
【００４７】
一方、能力調整処理が終了すると、複合機２０の制御部２１は、印刷コンテンツ送受信処理として、ステップＳ２７０の送信側能力応答に記述されたＵＲＬ（図８の４２行の「newprint/capability1.xml」）を用いてページ情報要求を変換器７０に送信する（ステップＳ３２０）。そして、ページ情報要求を受信した変換器７０の制御部７１は、ページ情報応答を複合機２０に送信する（ステップＳ３３０）。ページ情報要求の一例を図９に示す。ページ情報要求の０１行に記載された「newprint/capability1.xml」は図８の能力応答の４２行の「newprint/capability1.xml」と同一であることが解る。ページ情報応答の一例を図１０に示す。ページ情報応答の０９行には１ページ目の印刷コンテンツデータのＵＲＬ「newprint/scanprint.tiff」が記述されており、１０行には印刷コンテンツにおける次のページのＵＲＬ「newprint/capability2.xml」が記述されているのが解る。複合機２０の制御部２１は、変換器７０からのページ情報応答を受信すると、このページ情報応答に印刷コンテンツデータのＵＲＬや印刷コンテンツにおける次のページのＵＲＬがあれば、これらのＵＲＬを取得する。
【００４８】
続いて、複合機２０の制御部２１は、ステップＳ３３０で受信したページ情報応答の０９行に記述されたＵＲＬ（図１０のページ情報応答の０９行の「newprint/scanprint.tiff」）を用いて、印刷コンテンツデータを送信するよう要求するデータ要求を変換器７０に送信する（ステップＳ３４０）。このデータ要求の一例を図１１に示す。データ要求の０１行に記述された「newprint/scanprint.tiff」は図１０のページ情報応答の０９行の「newprint/scanprint.tiff」と同一であることが解る。また、このデータ要求には能力調整処理のステップＳ２８０で制御部２１が決定した使用能力の通知が伴っている。具体的には図１１のデータ要求の０１行に記述された「MediaSize=iso_A4_210x297mm」が画像データのサイズはＡ４であることを表し、「PrintQuality=200×200」が解像度は２００×２００ｄｐｉであることを表し、「DocumentFormat=img/tiff」が符号化種別はｔｉｆｆであることを表し、「MonoColor=color」が色種別はカラーであることを表している。このデータ要求を送信することにより、複合機２０は、決定した使用能力で印刷コンテンツデータを送信するよう変換器７０に要求を行うのである。
【００４９】
そして、ステップＳ３４０のデータ要求を受信した変換器７０の制御部７１は、ステップＳ３１０で受信してメモリー７４に記憶した印刷コンテンツデータをＨＴＴＰで用いる形式に変換したデータを含むデータ応答を作成し、複合機２０に送信する（ステップＳ３５０）。なお、ステップＳ３１０で変換器７０が受信する印刷コンテンツデータは、Ｔ．３０方式で用いる形式のＨＤＬＣフレームに分割された状態でＦＡＸ装置４０から順次送信される。このため、制御部７１は、１ページ分の印刷コンテンツデータを全て受信してメモリー７４に記憶する処理と並行して、順次記憶した印刷コンテンツデータをＨＴＴＰで用いる形式のＩＰパケットに変換してデータ応答を作成し、複合機２０に順次送信するステップＳ３５０の処理を行うことができる。そして、複合機２０の制御部２１は、ステップＳ３５０のデータ応答を受信して、データ応答に含まれる印刷コンテンツデータをメモリー２４に記憶すると共に、メモリー２４に記憶した印刷コンテンツデータを印刷するよう印刷実行部２２を制御する。
【００５０】
一方、ＦＡＸ装置４０の制御部４１は、ステップＳ３１０における１ページ分の印刷コンテンツデータの送信が全て終了し、且つ、印刷コンテンツの次のページがあると判定すると、次ページが有ることを表す信号である「MPS(multipage signal)」を変換器７０に送信する（ステップＳ３６０）。なお、次のページの有無は、例えば、スキャン実行部４３にセットされたスキャン未実施の書類があるか否かで判定する。「MPS」を受信した変換器７０の制御部７１はステップＳ３１０におけるＦＡＸ装置４０からの印刷コンテンツデータの受信が完了した旨を通知する「MCF(message confirmation)」をＦＡＸ装置４０に送信する（ステップＳ３７０）。なお、このステップＳ３７０の処理は、データ応答を作成して複合機２０に送信するステップＳ３５０の処理が全て終了するのを待って行うものとしてもよい。
【００５１】
以上のステップＳ３１０〜Ｓ３７０により１ページ分の印刷コンテンツデータをＦＡＸ装置４０から複合機２０へ送信するページ送受信処理が終了する。以降は、印刷コンテンツの最終ページの１ページ前の送受信が完了するまでステップＳ３１０〜Ｓ３７０のページ送受信処理を繰り返す。なお、２回目以降のページ送受信処理のステップＳ３２０においてページ情報要求の０１行に記述されるＵＲＬは、ステップＳ２７０で受信した送信側能力応答に記述されたＵＲＬではなく、受信した最も新しいページ情報応答の１０行に記述された印刷コンテンツにおける次のページのＵＲＬとなる。そして、印刷コンテンツの最終ページのページ送受信処理では、図３に示すようにステップＳ３８０〜Ｓ４２０についてはステップＳ３１０〜Ｓ３５０と同様の処理であるが、ＦＡＸ装置４０の制御部４１は、ステップＳ３８０における１ページ分の印刷コンテンツデータの送信が全て終了すると、印刷コンテンツの次のページが無いと判定して、次ページが無いことを表す信号である「EOP(end of procedure)」を変換器７０に送信する（ステップＳ４３０）。そして、「MPS」を受信した変換器７０の制御部７１はステップＳ３８０におけるＦＡＸ装置４０からの印刷コンテンツデータの受信が完了した旨を通知する「MCF」をＦＡＸ装置４０に送信する（ステップＳ４４０）。以上のステップＳ３８０〜Ｓ４４０により最終ページのページ送受信処理が終了する。ただし、複合機２０は、まだステップＳ４２０で受信した印刷コンテンツデータの次ページの有無を通知されていないため、ステップＳ３２０，Ｓ３９０と同様にページ情報要求を変換器７０に送信する（ステップＳ４５０）。そして、ページ情報要求を受信した変換器７０の制御部７１は、次ページが無いことを表すページ情報応答を複合機２０に送信する（ステップＳ４６０）。このページ情報応答の一例を図１２に示す。図１２では、ページ情報応答の０９行の「none」及び１０行の「none」から印刷コンテンツデータのＵＲＬも次のページのＵＲＬもないことが解る。このようなページ情報応答を受信した複合機２０の制御部２１は、ページ情報応答の０９行に印刷コンテンツデータのＵＲＬが記述されていないため次のページが無いと判定する。
【００５２】
以上のステップＳ３１０〜Ｓ４６０により、印刷コンテンツ送受信処理が終了する。この印刷コンテンツ送受信処理においても、能力調整処理と同様に、変換器７０がＴ．３０方式における受信側の端末として機能してＦＡＸ装置４０から印刷コンテンツの受信を行うと共に、変換器７０がサーバー・クライアントモデルにおけるサーバーとして機能してクライアントとしての複合機２０へＨＴＴＰによる印刷コンテンツの送信を行っている。
【００５３】
印刷コンテンツ送受信処理が終了すると、ＦＡＸ装置４０の制御部４１は、接続を終了する呼切断処理として、変換器７０に対して通信の切断を通知する「DCN(disconnect)」を送信し（ステップＳ４７０）、続けて、切断信号を変換器７０に送信する（ステップＳ４８０）。これにより、ＦＡＸ装置４０と変換器７０との接続が終了する。また、印刷コンテンツ送受信処理が終了すると、複合機２０の制御部２１は、呼切断処理として、変換器７０にセッションを終了するための状態コードとしての「BYE」を送信し（ステップＳ４９０）、「BYE」を受信した変換器７０が「200 OK」を複合機２０に送信することで（ステップＳ５００）、複合機２０と変換器７０との接続が終了する。
【００５４】
そして、変換器７０の制御部７１は、ステップＳ４８０の切断信号を受信したことで接続が終了したとみなして、ステップＳ９４０（図４参照）で肯定的な判定をして、プロトコル判定ルーチンを終了する。
【００５５】
なお、以上はＦＡＸ装置４０から複合機２０へ初めて印刷コンテンツを送信する際の変換器７０の動作について説明したが、２回目以降の場合でも同様である。すなわち、プロトコル判定ルーチンでは上述と同様にステップＳ９００で否定的な判定がなされてステップＳ９１０のＨＴＴＰ接続確立処理を実行し、接続を確立するとステップＳ９２０で肯定的な判定がなされて、ステップＳ９３０によりＴ．３０方式とＨＴＴＰとのプロトコルの変換が開始されることになり、図２，３と同じシーケンスによる印刷コンテンツの送信が行われる。
【００５６】
次に、ＦＡＸ装置４０からＦＡＸ装置３０へ初めて印刷コンテンツを送信する際の変換器７０の動作について説明する。図１３は、ＦＡＸ装置４０とＦＡＸ装置３０とが変換器７０及びＨＧＷ６０を介して接続を確立し印刷コンテンツの送受信を行って接続を切断するまでのシーケンスを示す説明図であり、図１４は、図１３のシーケンスのうち実際に印刷コンテンツを送受信する印刷コンテンツ送受信処理についてのシーケンスを詳細に示した説明図である。なお、図１３及び図１４においても、図２及び図３と同様にＳＩＰプロキシー・サーバー１４，１６の記載については省略している。
【００５７】
ＦＡＸ装置４０からＦＡＸ装置３０への印刷コンテンツの送信も、複合機２０への送信と同様に、ＦＡＸ装置４０のユーザーが送信したい印刷コンテンツが記載された書類をスキャン実行部４３にセットし、操作部４５を操作して送信先であるＦＡＸ装置３０に割り当てられている固有の識別情報（例えば番号）の入力を行い、図示しない送信ボタンを押下することで開始される。これにより、ＦＡＸ装置４０と変換器７０との間で上述した図２のステップＳ１００〜Ｓ１２０と同様の処理が実行されて（ステップＳ５１０〜５３０）、ステップＳ５３０の選択信号を受信した変換器７０の制御部７１は上述と同様にプロトコル判定ルーチンを開始する（ステップＳ５４０）。
【００５８】
続いて、制御部７１は、上述と同様に図４のプロトコル判定ルーチンのステップＳ９００の判定を行い、ＦＡＸ装置４０がＦＡＸ装置３０に印刷コンテンツの送信を行うのは初めてであるので、ＦＡＸ装置３０の識別情報は識別情報記憶領域７４ａに記憶されておらず、否定的な判定をしてＨＴＴＰ接続確立処理を開始し（ステップＳ９１０）、接続の確立ができたか否かを判定する（ステップＳ９２０）。そして、制御部７１は、ＨＴＴＰ接続確立処理として、まず、ＦＡＸ装置３０に向けて図２のステップＳ１４０と同様のＩＮＶＩＴＥメッセージを送信する（ステップＳ５５０（図１３参照））。
【００５９】
ＦＡＸ装置３０がＩＮＶＩＴＥメッセージを受信すると、制御部３１は、要求失敗を意味する状態コードとしての「4xx error」を送信側である変換器７０に送信する（ステップＳ５６０）。上述したように、ＦＡＸ装置３０が受信したＩＮＶＩＴＥメッセージの「m=」行には「newprint1」が記述されており、送信側がＨＴＴＰによる印刷コンテンツの送受信をＦＡＸ装置３０に要求していることを表している。これに対し、ＦＡＸ装置３０はみなし音声方式により印刷コンテンツの送受信を行うものであるため、この要求に応えることはできない。そのためＦＡＸ装置３０は「m=」行に「newprint1」が記述されているＩＮＶＩＴＥメッセージに対しては「4xx error」を送信するのである。
【００６０】
制御部７１は、この「4xx error」を受信すると、ＨＴＴＰ接続確立処理による接続の確立はできなかったとみなして、図４のプロトコル判定ルーチンにおけるステップＳ９２０で否定的な判定をする。そして、制御部７１は、ステップＳ５３０で受信した選択信号に含まれる識別情報、すなわちＨＴＴＰ接続確立処理を試みた端末であるＦＡＸ装置４０の識別情報を識別情報記憶領域７４ａに記憶すると共に記憶した時期を表す時期情報を識別情報に対応づけて記憶する（ステップＳ９５０）。図１５は、ステップＳ９５０でＦＡＸ装置３０の識別情報と時期情報とを対応づけて記憶したときのメモリー７４の識別情報記憶領域７４ａの説明図である。図示するように、識別情報記憶領域７４ａには、ＦＡＸ装置４０の識別情報とステップＳ９５０でこの識別情報の記憶を行った時期として「２００９／３／２０」を表す時期情報とが対応づけて記憶されている。なお、本実施形態では、時期情報は記憶を行った年月日を表すものとし、記憶を行った年月日がいつであるかは変換器７０が備える図示しない内部時計により判断するものとした。また、識別情報記憶領域７４ａは、図示したＦＡＸ装置４０の識別情報と時期情報との対応に限らず、識別情報と時期情報とを１対１で対応づけたものを複数記憶可能である。
【００６１】
続いて、制御部７１は、ステップＳ９２０で否定的な判定がされたため、今回印刷コンテンツを送信する装置はＨＴＴＰではなくみなし音声方式により印刷コンテンツを受信して印刷する装置であるとみなして、ＦＡＸプロトコル中継処理を開始し（ステップＳ９６０）、ステップＳ９４０に進んで接続が終了するまで待つ。ここで、ＦＡＸプロトコル中継処理は、ステップＳ５１０，Ｓ５３０で受信した発呼信号及び選択信号をそのままＴ．３０方式で用いる形式でＩ／Ｆ７７を介して電話回線でＨＧＷ６０に送信する処理及びＩ／Ｆ７５，７７を介してＦＡＸ装置４０とＨＧＷ６０とが送受信するデータをそのまま中継する処理である。
【００６２】
このＦＡＸプロトコル中継処理が開始されると、制御部７１は、まず、ステップＳ５１０で受信した発呼信号をそのままＴ．３０方式で用いる形式でＩ／Ｆ７７を介して電話回線でＨＧＷ６０に送信する（ステップＳ５７０）。ＨＧＷ６０の制御部６１は、ステップＳ５５０，Ｓ５６０のＩＮＶＩＴＥメッセージ及び「4xx error」についてはＨＴＴＰで用いる形式のデータであったためＨＴＴＰ中継処理を行っていたが、ステップＳ５７０で送信された発呼信号はＴ．３０方式で用いる形式のデータであるため、Ｔ．３０方式とみなし音声方式との間でプロトコルの変換を行うＶｏＩＰゲートウェイとして機能し、変換器７０にステップＳ５１０と同様の発信音を送信する（ステップＳ５８０）。そして、発信音を受信した変換器７０の制御部７１は、ステップ５２０で受信した選択信号をそのままＴ．３０方式で用いる形式でＩ／Ｆ７７を介して電話回線でＨＧＷ６０に送信する（ステップＳ５９０）。これ以降、制御部７１は、Ｉ／Ｆ７５，７７を介してＦＡＸ装置４０とＨＧＷ６０とが送受信するデータをそのまま中継する処理をステップＳ９４０で接続が終了したと判定するまで継続して行うことになる。
【００６３】
そして、選択信号を受信したＨＧＷ６０の制御部６１は、Ｉ／Ｆ６７を介してＦＡＸ装置４０とＴ．３０方式で用いる形式でデータの送受信を行うと共に、受信した選択信号に含まれる識別情報で特定される装置であるＦＡＸ装置３０とＩ／Ｆ５６，ＳＩＰプロキシー・サーバー１６，１４を介してみなし音声方式で用いる形式でデータの送受信を行って、ＦＡＸ装置４０とＦＡＸ装置３０との接続の確立を行うＦＡＸプロトコル接続確立処理を開始する。このＦＡＸプロトコル接続確立処理として、制御部６１は、まず、ＦＡＸ装置３０とみなし音声方式で用いる形式であるＳＩＰによるセッションを確立すべく、ＦＡＸ装置３０に向けてＩＮＶＩＴＥメッセージを送信する（ステップＳ６００）。このＩＮＶＩＴＥメッセージは、ステップＳ５５０で変換器７０が送信したＩＮＶＩＴＥメッセージとは異なり、「m=」行に「newprint1」ではなく「audio」が記述されている。この「m=」行における「audio」 の記述は、みなし音声方式による印刷コンテンツの送受信を含むことを識別するものとして機能するものである。
【００６４】
ＦＡＸ装置３０は上述したようにみなし音声方式により印刷コンテンツの送受信が可能な装置であるため、この「m=」行に「audio」が記述されたＩＮＶＩＴＥメッセージを受信すると、制御部３１は、ＳＩＰによるセッションを確立するべく、「180Ringing」を応答としてＨＧＷ６０に送信する（ステップＳ６１０）。続いて、「180Ringing」を受信したＨＧＷ６０の制御部６１は、呼出音をＦＡＸ装置４０に送信する（ステップＳ６２０）。一方、ＦＡＸ装置３０の制御部３１は、ステップＳ６１０の「180Ringing」を送信すると、セッション確立の準備を行った後に「200 OK」をＨＧＷ６０に送信する（ステップＳ６３０）。そして、この「200 OK」を受信したＨＧＷ６０の制御部６１は応答信号をＦＡＸ装置４０に送信する（ステップＳ６４０）と共に、「ACK」をＦＡＸ装置３０に送信する（ステップＳ６５０）。以上のステップＳ６００〜Ｓ６５０によりＦＡＸプロトコル接続確立処理による接続の確立が行われて、ステップＳ５１０〜Ｓ６５０の呼制御処理が終了する。呼制御処理が終了すると、ＨＧＷ６０は、引き続きＶｏＩＰゲートウェイとして機能してＴ．３０方式とみなし音声方式との間でプロトコルの変換を行ってＦＡＸ通信開始処理，能力調整処理，回線状況確認処理，印刷コンテンツ送受信処理，呼切断処理を行い、印刷コンテンツがＦＡＸ装置４０からＦＡＸ装置３０に送信されるようにする。なお、みなし音声方式におけるＦＡＸ通信開始処理，能力調整処理，回線状況確認処理，印刷コンテンツ送受信処理の各処理は、上述したＴ．３０方式における各処理と比べて、送受信するデータの形式は異なるがデータの内容や処理の手順は同じである。
【００６５】
呼制御処理が終了すると、ＦＡＸ通信開始処理として、ＦＡＸ装置４０の制御部４１は、「CNG」をＨＧＷ６０に送信する（ステップＳ６６０）。続いて、ＨＧＷ６０の制御部６１は、受信した「CNG」をＦＡＸ装置３０に送信し（ステップＳ６６５）、「CNG」を受信したＦＡＸ装置３０の制御部３１は「CED」をＨＧＷ６０に送信し（ステップＳ６７０）、ＨＧＷ６０の制御部６１は、受信した「CED」をＦＡＸ装置４０に送信する（ステップＳ６７５）。このＦＡＸ通信開始処理により、ＦＡＸ装置４０がＦＡＸ通信を行う準備が整う。
【００６６】
ＦＡＸ通信開始処理が終了すると、ＦＡＸ装置３０の制御部３１は、今回の印刷コンテンツの送受信で使用する能力を調整するための能力調整処理として、まず、印刷コンテンツを受信側の端末であるＦＡＸ装置３０が受信して印刷する能力を表す受信側能力情報やＦＡＸ装置３０の通信速度を表す通信速度情報を含む「DIS」をＨＧＷ６０に送信する（ステップＳ６８０）。ここで、受信側能力情報で表されるＦＡＸ装置３０の能力は、画像データのサイズがＡ４，Ｂ５、解像度が２００×２００ｄｐｉ、符号化種別がｔｉｆｆ，色種別がモノクロ、であり、通信速度情報で表される通信速度は１４．４ｋビット／秒であるものとした。続いて、ＨＧＷ６０は受信した「DIS」をＦＡＸ装置４０に送信する（ステップＳ６８５）。
【００６７】
ＦＡＸ装置４０がステップＳ７００の「DIS」を受信すると、制御部４１は、図２のステップＳ３２０，３３０と同様に、ＦＡＸ装置４０が印刷コンテンツを送信する能力である送信側能力の範囲内及び「DIS」に含まれる受信側能力情報で表される能力の範囲内で、今回の印刷コンテンツの送受信で使用する使用能力及び使用する通信速度を決定する（ステップＳ６９０，７００））。上述したように、ＦＡＸ装置４０の送信側能力は、画像データのサイズがＡ４，Ｂ５、解像度が２００×２００ｄｐｉ、符号化種別がｔｉｆｆ，色種別がカラー，モノクロ、であり、通信速度は９．６ｋビット／秒である。そのため、画像データのサイズはＡ４，解像度は２００×２００ｄｐｉ，符号化種別はｔｉｆｆ，色種別はモノクロ、が使用能力として決定され、９．６ｋビット／秒が今回使用する通信速度として決定される。
【００６８】
そして、使用能力及び使用する通信速度を決定すると、制御部４１は、使用能力を表す使用能力情報及び決定した通信速度を表す通信速度情報を含む「DCS」をＨＧＷ６０に送信し（ステップＳ７１０）、ＨＧＷ６０の制御部６１が受信した「DCS」をＦＡＸ装置３０に送信して決定した使用能力及び通信速度を通知する（ステップＳ７１５）。これにより、ＦＡＸ装置３０は今回の印刷コンテンツの送受信でＦＡＸ装置４０が使用する能力及び通信速度を知ることができる。以上のステップＳ６８０〜Ｓ７１５で能力調整処理は終了する。
【００６９】
上述した能力調整処理が終了すると、ＦＡＸ装置４０の制御部４１は、ＦＡＸ装置４０とＦＡＸ装置３０との間の通信回線の状況を確認する回線状況確認処理として、まず、「TCF」をステップＳ７００で決定した今回使用する通信速度でＨＧＷ６０に送信する（ステップＳ７２０）。そして、ＨＧＷ６０の制御部６１は受信した「TCF」をＦＡＸ装置３０に送信し（ステップＳ７２５）、ＦＡＸ装置３０の制御部３１は受信した「TCF」に１ビットもエラーがなければ、エラーがない旨を伝える信号である「CFR(confirmation to receive)」をＨＧＷ６０に送信し（ステップＳ７３０）、ＨＧＷ６０は受信した「CFR」をＦＡＸ装置４０に送信する（ステップＳ７３５）。このステップＳ７２０〜Ｓ７３５の回線状況確認処理により、ステップＳ７１０，Ｓ７１５で通知した通信速度で通信が可能であることが確認でき、以降の印刷コンテンツの送受信をこの通信速度で行うことが決定される。なお、FAX装置３０が受信した「TCF」にエラーがあった場合の処理は、上述したように通信速度を順次下げて「TCF」と「FTT」の送受信を繰り返して今回使用する通信速度を最終的に決定する。
【００７０】
回線状況確認処理が終了すると、ＦＡＸ装置４０の制御部４１は、印刷コンテンツをＦＡＸ装置４０からＦＡＸ装置３０へ送信する印刷コンテンツ送受信処理として、ステップＳ６９０で決定した使用能力且つＴ．３０方式で用いる形式で１ページ分の印刷コンテンツデータを作成し回線状況確認処理で決定した通信速度でＨＧＷ６０に送信し（ステップＳ７４０（図１４参照））、ＨＧＷ６０の制御部６１は受信した１ページ分の印刷コンテンツデータをＦＡＸ装置３０に送信する（ステップＳ７４５）。そして、ＦＡＸ装置３０の制御部３１は、受信した印刷コンテンツデータをメモリー３４に記憶すると共に、メモリー３４に記憶した印刷コンテンツデータを印刷するよう印刷実行部３２を制御する。
【００７１】
一方、ＦＡＸ装置４０の制御部４１は、ステップＳ７４０における１ページ分の印刷コンテンツデータの送信が全て終了し、且つ、印刷コンテンツの次のページがあると判定すると、「MPS」をＨＧＷ６０に送信し（ステップＳ７５０）、ＨＧＷ６０が受信した「MPS」をＦＡＸ装置３０に送信する（ステップＳ７５５）。ＦＡＸ装置３０の制御部３１は、ステップＳ７４５で送信された１ページ分の印刷コンテンツデータを全て受信し、且つ、ステップＳ７５５の「MPS」を受信すると、「MCF」をＨＧＷ６０に送信し（ステップＳ７６０）、ＨＧＷ６０の制御部６１は受信した「MCF」をＦＡＸ装置４０に送信する（ステップＳ７６５）。
【００７２】
以上のステップＳ７４０〜Ｓ７６５により１ページ分の印刷コンテンツデータをＦＡＸ装置４０からＦＡＸ装置３０へ送信するページ送受信処理が終了する。以降は、印刷コンテンツの最終ページの１ページ前の送受信が完了するまでステップＳ７４０〜Ｓ７６５のページ送受信処理を繰り返す。そして、印刷コンテンツの最終ページのページ送受信処理であるステップＳ７７０〜Ｓ７９５では、ステップＳ７８０，Ｓ７８５で「MPS」の代わりに「EOP」が送信される点以外はステップＳ７４０〜Ｓ７６５と同様の処理を行う。以上のステップＳ７４０〜Ｓ７９５により、印刷コンテンツ送受信処理が終了する。
【００７３】
印刷コンテンツ送受信処理が終了すると、ＦＡＸ装置４０の制御部４１は、接続を終了する呼切断処理として、ＨＧＷ６０に対して「DCN」を送信し（ステップＳ８００（図１３参照））、続けて、切断信号をＨＧＷ６０に送信する（ステップＳ８１０）。これにより、ＦＡＸ装置４０とＨＧＷ６０との接続が終了する。また、ＨＧＷ６０の制御部６１は、「DCN」を受信すると、この「DCN」をＦＡＸ装置３０に送信し（ステップＳ８０５）、切断信号を受信すると、「BYE」をＦＡＸ装置３０に送信する（ステップＳ８２０）。そして、「BYE」を受信したＦＡＸ装置３０が「200 OK」をＨＧＷ６０に送信することで（ステップＳ８３０）、ＨＧＷ６０とＦＡＸ装置３０との接続が終了する。
【００７４】
一方、変換器７０の制御部７１は、ステップＳ８１０の切断信号を中継したことで接続が終了したとみなして、ステップＳ９４０（図４参照）で肯定的な判定をして、プロトコル判定ルーチンを終了する。
【００７５】
なお、以上はＦＡＸ装置４０からＦＡＸ装置３０へ初めて印刷コンテンツを送信する際の変換器７０の動作について説明したが、次に、２回目以降に送信する場合について説明する。２回目以降にＦＡＸ装置４０からＦＡＸ装置３０へ印刷コンテンツを送信する場合には、図１３のステップＳ５１０〜Ｓ５４０までは１回目と同様であるが、ステップＳ５４０で図４のプロトコル判定ルーチンを開始すると、ＦＡＸ装置３０の識別情報が識別情報記憶領域７４ａに記憶されているため制御部７１はステップＳ９００で肯定的な判定をする。続いて、制御部７１は、識別情報記憶領域７４ａにおいて識別情報と対応づけて記憶されている時期情報で表される時期が現在から所定期間以上前の時期を表すか否かを判定する（ステップＳ１０７０）。ここで、本実施形態では、所定期間は３ヶ月とした。したがって、識別情報記憶領域７４ａにおいて今回の送信先の装置であるＦＡＸ装置３０の識別情報に対応づけられている年月日は「２００９／３／２０」であるため、変換器７０の内部時計が示す現在の年月日が「２００９／６／２０」以降であれば肯定的な判定をし、「２００９／６／１９」以前であれば否定的な判定をすることになる。
【００７６】
そして、ステップＳ１０７０で否定的な判定をしたときは、所定期間内にＨＴＴＰ接続確立処理を実行して接続が確立できなかったことがあり、印刷コンテンツの送信先の端末はＨＴＴＰではなくみなし音声方式により印刷コンテンツを受信して印刷する端末であるとみなして、制御部７１はＨＴＴＰ接続確立処理を行うことなくステップＳ９６０に進んでＦＡＸプロトコル中継処理を開始する。これにより、図１３のステップＳ５５０，Ｓ５６０を行わず、ステップＳ５７０以降の処理が実行されることになる。すなわち、送信先の端末がみなし音声方式により印刷コンテンツを受信して印刷する端末であるとみなしたときは、最初からＨＧＷ６０によるＦＡＸプロトコル接続確立処理を行って接続を確立して以降の処理が行われるようにするのである。
【００７７】
一方、ステップＳ１０７０で肯定的な判定をしたときは、制御部７１は、ステップＳ９１０に進んでＨＴＴＰ接続確立処理を開始する。これは、前回ＨＴＴＰ接続確立処理を行って接続が確立できなかったときから所定期間以上経過しており、その間にＦＡＸ装置３０のユーザーがＦＡＸ装置３０を買い換えたり装置を追加したりすることが考えられ、同じ識別情報で特定される送信先の端末であっても今回はＨＴＴＰによる印刷コンテンツの受信が可能になっている可能性があるためである。したがって、以降は上述したＦＡＸ装置４０からＦＡＸ装置３０へ初めて印刷コンテンツを送信する際と同様に、変換器７０はステップＳ１４０（Ｓ５５０）の処理を行う。そして、図２のステップＳ１５０と同様に送信先の端末から「180Ringing」が送信されてきたときは、図２のステップＳ１６０〜Ｓ１９０と同様の処理を行ってＨＴＴＰで用いる形式での接続を確立する。この場合は図４のプロトコル判定ルーチンのステップＳ９２０で肯定的な判定をして、以降は図２のステップＳ２００以降及び図３と同様のシーケンスで印刷コンテンツの送信が行われる。一方、ステップＳ１４０（Ｓ５５０）の処理を行ったあと、図１３のステップＳ５６０と同様に送信先の端末から「4xx error」が送信されてきたときは、図４のプロトコル判定ルーチンのステップＳ９２０で否定的な判定をして、以降は図１３のステップＳ５７０以降及び図１４と同様のシーケンスで印刷コンテンツの送信が行われる。なお、このときもプロトコル判定ルーチンのステップＳ９５０が実行されることになるが、識別情報記憶領域７４ａに既に記憶されたＦＡＸ装置３０の識別情報及び時期情報があるため、ＦＡＸ装置３０の識別情報と時期情報とを上書きして識別情報記憶領域７４ａに記憶することになる。すなわち、識別情報記憶領域７４ａでは同じ識別情報が複数記憶されることはなく、識別情報に対応する時期情報も最後にステップＳ９５０を実行したときの時期情報が記憶されるのである。
【００７８】
ここで、実施形態の構成要素と本発明の構成要素との対応関係を明らかにする。実施形態のＦＡＸ装置４０が本発明の送信端末に相当し、複合機２０及びＦＡＸ装置３０が受信端末に相当し、ＦＡＸ装置３０がＦＡＸ受信端末に相当し、複合機２０がＨＴＴＰ受信端末に相当し、ＨＧＷ６０がホームゲートウェイに相当し、変換器７０が信号変換装置に相当し、Ｉ／Ｆ７５が第１入出力手段に相当し、Ｉ／Ｆ７６が第２入出力手段に相当し、Ｉ／Ｆ７７が第３入出力手段に相当し、制御部７１がデータ送受信手段に相当し、メモリー７４が記憶手段に相当する。また、Ｔ．３０方式がアナログのＦＡＸプロトコルに相当し、みなし音声方式がデジタルのＦＡＸプロトコルに相当し、変換器７０の制御部７１が行う図３のステップＳ３２０〜Ｓ４６０の処理がＨＴＴＰ変換処理に相当し、ＨＧＷ６０の制御部６１が行う図１４のステップＳ７４０〜Ｓ７９５の処理がＦＡＸプロトコル変換処理に相当する。
【００７９】
以上詳述した実施形態では、変換器７０が、Ｔ．３０方式の選択信号をＦＡＸ装置４０からＩ／Ｆ７５を介して受信すると、制御部７１は、まずＨＴＴＰ接続確立処理を実行して選択信号に含まれる識別情報で特定される受信端末との接続を試みる。そして、接続が確立したときには受信端末はＨＴＴＰにより印刷コンテンツを受信して印刷する端末であるとみなして、Ｔ．３０方式とＨＴＴＰとのプロトコルの変換を行って印刷コンテンツ送受信処理によるＦＡＸ装置４０から受信端末への印刷コンテンツの送信を行う。また、接続が確立しなかったときには受信端末はみなし音声方式により印刷コンテンツを受信して印刷する端末であるとみなしてＦＡＸプロトコル中継処理を行い、Ｔ．３０方式の選択信号を受信したＨＧＷ６０がＦＡＸプロトコル接続確立処理を行ってＦＡＸ装置４０と受信端末との接続を行い、ＨＧＷ６０がＴ．３０方式とみなし音声方式との間でプロトコルの変換を行って印刷コンテンツ送受信処理によるＦＡＸ装置４０から受信端末への印刷コンテンツの送信を行うことができるようにする。このように、Ｔ．３０方式で印刷コンテンツを送信するＦＡＸ装置４０と、Ｔ．３０方式とみなし音声方式との間でプロトコルの変換を行うＨＧＷ６０と、の間に変換器７０を接続することで、ＦＡＸ装置４０からＨＴＴＰで印刷コンテンツを受信して印刷する複合機２０への印刷コンテンツの送信を可能にすると共に、ＦＡＸ装置４０及びＨＧＷ６０のみでも可能であるＦＡＸ装置４０からＦＡＸ装置３０への印刷コンテンツの送信を妨げない。以上により、みなし音声方式とＨＴＴＰとのいずれにより印刷コンテンツを受信して印刷する受信端末に対しても、Ｔ．３０方式で印刷コンテンツを送信するＦＡＸ装置４０からの印刷コンテンツの送信を可能にすることができる。また、選択信号を受信するとまずＨＴＴＰ接続確立処理を実行し、接続が確立するか否かによって受信端末がＨＴＴＰとみなし音声方式とのいずれで印刷コンテンツを受信する端末であるかを判定して以降の処理を行うため、受信端末がいずれのプロトコルにより印刷コンテンツを受信して印刷する受信端末かが不明な場合でも、受信端末への印刷コンテンツの送信が可能になる。
【００８０】
また、制御部７１は、ＨＴＴＰ接続確立処理を実行する前に、受信した選択信号に含まれる受信端末の識別情報が、ＨＴＴＰ接続確立処理による接続の確立が不可能な受信端末の識別情報として識別情報記憶領域７４ａに記憶されているか否かを判定するステップＳ９００の処理を行い、肯定的な判定をしたときには受信端末はみなし音声方式により印刷コンテンツを受信する端末であるとみなしてＨＴＴＰ接続確立処理を行うことなくＦＡＸプロトコル中継処理を実行し、否定的な判定をしたときは、ＨＴＴＰ接続確立を実行する。そして、ＨＴＴＰ接続確立処理による接続の確立ができなかったときは、制御部７１は識別情報記憶領域７４ａに接続を試みた受信端末の識別情報をＨＴＴＰ接続確立処理による接続の確立が不可能な受信端末の識別情報として記憶しておく。これにより、一度ＨＴＴＰ接続確立処理による接続の確立が不可能な端末であるとみなした受信端末について、以降に印刷コンテンツを送信する場合に最初から受信端末に適したみなし音声方式で用いる形式で接続を確立して印刷コンテンツを送信できる。
【００８１】
さらに、制御部７１は、ステップＳ９００の処理を行って肯定的な判定をしたとき、識別情報に対応づけて記憶されている時期情報が現在から所定期間未満の時期を表す場合には、ＨＴＴＰ接続確立処理を行うことなくＦＡＸプロトコル中継処理を実行し、識別情報に対応づけて記憶されている時期情報が現在から所定期間以上前の時期を表す場合にはＨＴＴＰ接続確立処理を行う。そして、ＨＴＴＰ接続確立処理による接続の確立ができなかったときは、制御部７１は識別情報記憶領域７４ａに接続を試みた受信端末の識別情報をＨＴＴＰ接続確立処理による接続の確立が不可能な受信端末の識別情報として記憶しておくと共に記憶を行った時期を表す時期情報を識別情報に対応づけて記憶する。こうすれば、一度ＨＴＴＰ接続確立処理による接続の確立が不可能な端末であるとみなした受信端末であっても所定期間以上経過するとＨＴＴＰ接続確立処理を試みるため、受信端末がＨＴＴＰにより印刷コンテンツを受信して印刷する機能を備えたものになった場合に、そのことを検出して、以降はＨＴＴＰによる印刷コンテンツの送信を行うことができる。
【００８２】
なお、本発明は上述した実施形態に何ら限定されることはなく、本発明の技術的範囲に属する限り種々の態様で実施し得ることはいうまでもない。
【００８３】
例えば、上述した実施形態では、メモリー７４の識別情報記憶領域７４ａには、ＨＴＴＰ接続確立処理による接続の確立が不可能な受信端末の識別情報だけを記憶するものとしたが、ＨＴＴＰ接続確立処理による接続の確立ができた受信端末の識別情報も記憶するものとしてもよい。例えば、識別情報と接続の確立の可否とを対応づけて識別情報記憶領域７４ａに記憶するものとしてもよい。その場合、ＨＴＴＰ接続確立処理による接続の確立ができた受信端末の識別情報は、ステップＳ９２０で肯定的な判定をしたときに記憶するものとすればよい。
【００８４】
上述した実施形態では、プロトコル判定ルーチンのステップＳ９５０で識別情報記憶領域７４ａに識別情報と時期情報とを対応づけて記憶するものとしたが、識別情報だけを記憶するものとしてもよい。この場合、ステップＳ１０７０の処理は行わないものとし、ステップＳ９００で肯定的な判定をしたときはステップＳ９６０に進むものとすればよい。
【００８５】
上述した実施形態では、プロトコル判定ルーチンのステップＳ９００で識別情報が識別情報記憶領域７４ａに記憶されているか否かを判定するものとしたが、このステップＳ９００の処理を行わないものとしてもよい。その場合、プロトコル判定ルーチンが開始されるとまずステップＳ９１０の処理を実行するものとし、また、ステップＳ９２０で否定的な判定をしたときはステップＳ９６０に進むものとすればよい。
【００８６】
上述した実施形態では、ＨＧＷ６０とＦＡＸ装置４０との間に変換器７０が接続されているものとしたが、変換器７０とＨＧＷ６０とが一体となった装置がＦＡＸ装置４０とＩＰネットワーク１１との間に接続されているものとしてもよい。例えばこの場合、この装置は、制御部７１，６１の機能を共に備える制御部と、メモリー７４，６４の機能を共に備えるメモリーと、Ｉ／Ｆ７５と、Ｉ／Ｆ６５と、を備えるものとしてもよい。このような装置でも、上述した実施形態と同様の効果を得ることができる。
【００８７】
上述した実施形態では、時期情報は記憶を行った年月日を表すものとしたが、識別情報をＨＴＴＰ接続確立処理による接続の確立が不可能な受信端末の識別情報として記憶するにあたり記憶を行った時期を表す情報であれば、どのようなものでもよい。例えば、年月日に加えて時分秒も表す情報としてもよいし、年だけを表す情報としてもよい。また、所定期間は３ヶ月としたが、これに限られず、１年や１００日など、どのような期間としてもよい。
【００８８】
上述した実施形態では、ＦＡＸ装置３０はみなし音声方式により印刷コンテンツを受信して印刷する装置としたが、ＨＧＷ６０がＩＰネットワーク１１を介してみなし音声方式で用いる形式によりデータの送受信が行えるものであれば、どのようなものでもよい。例えば、Ｔ．３０方式により印刷コンテンツを受信して印刷するＦＡＸ装置が、Ｔ．３０方式とみなし音声方式とのプロトコル変換を行うホームゲートウェイを介してＩＰネットワーク１１に接続されていてもよい。この場合でも、ＨＧＷ６０からみるとＦＡＸ装置及びホームゲートウェイが全体としてみなし音声方式により印刷コンテンツを受信して印刷する装置として動作するため、本実施形態と同様にして印刷コンテンツの送信を行うことができる。
【００８９】
上述した実施形態では、複合機２０はスキャン実行部２３及びメモリーカードドライバー２６を備えるものとしたが、ＨＴＴＰにより印刷コンテンツを受信して印刷することができればどのような装置であってもよく、これらの一部又は全部を備えないものとしてもよい。
【００９０】
上述した実施形態では、ＦＡＸ装置４０は、Ｔ．３０方式で印刷コンテンツの送信を行うＧ３対応ＦＡＸとしたが、Ｔ．３０方式で印刷コンテンツの送受信を行うＧ１，Ｇ２，ＳｕｐｅｒＧ３のいずれかに対応したＦＡＸ装置であってもよい。また、上述した実施形態ではデジタルのＦＡＸプロトコルとしてみなし音声方式を例示して説明したが、みなし音声方式に代えて他のデジタルのＦＡＸプロトコルを使用してもよい。例えば、みなし音声方式に代えてＴ３８方式（リアルタイム方式）を使用してもよい。このプロトコルは、データの形式が異なっても処理の手順及びデータの内容はみなし音声方式やＴ．３０方式と同様であるため、上述した実施形態と同様にして本発明の信号変換装置を適用することができる。
【符号の説明】
【００９１】
１０  印刷システム、１１  ＩＰネットワーク、１２，１４，１６  ＳＩＰプロキシー・サーバー、２０  複合機、２１  制御部、２２  印刷実行部、２３  スキャン実行部、２４  メモリー、２５  操作部、２６  メモリーカードドライバー、２７  メモリーカード、３０，４０  ＦＡＸ装置、３１，４１  制御部、３２，４２  印刷実行部、３３，４３  スキャン実行部、３４，４４  メモリー、３５，４５  操作部、６０  ホームゲートウェイ（ＨＧＷ）、６１  制御部、６４  メモリー、６５，６６，６７  インターフェース（Ｉ／Ｆ）、７０  変換器、７１  制御部、７４  メモリー、７４ａ  識別情報記憶領域、７５，７６，７７  インターフェース（Ｉ／Ｆ）。
【図１】
2010245622.tif 000003
【図２】
2010245622.tif 000004
【図３】
2010245622.tif 000005
【図４】
2010245622.tif 000006
【図５】
2010245622.tif 000007
【図６】
2010245622.tif 000008
【図７】
2010245622.tif 000009
【図８】
2010245622.tif 000010
【図９】
2010245622.tif 000011
【図１０】
2010245622.tif 000012
【図１１】
2010245622.tif 000013
【図１２】
2010245622.tif 000014
【図１３】
2010245622.tif 000015
【図１４】
2010245622.tif 000016
【図１５】
2010245622.tif 000017